(57)【要約】【課題】基地局装置と端末装置が通信する通信システムにおいて、システム全体の伝送効率を大幅に向上させることが可能な基地局装置、端末装置、通信システム、通信方法および集積回路を提供する。【解決手段】通信に利用されるサブキャリア間隔及びシンボル長を可変に設定し、サブキャリア間隔及びシンボル長を示すパラメータセットを設定内容に応じて切り替えるための情報を通知する制御部、を備える基地局装置。【選択図】図１５
2017195483.tif 000002
【特許請求の範囲】
【請求項１】
通信に利用されるサブキャリア間隔及びシンボル長を可変に設定し、サブキャリア間隔及びシンボル長を示すパラメータセットを設定内容に応じて切り替えるための情報を通知する制御部、
を備える基地局装置。
【請求項２】
前記切り替えるための情報は、前記パラメータセットと前記パラメータセットが設定されるリソースとを対応付ける情報を含む、請求項１に記載の基地局装置。
【請求項３】
前記切り替えるための情報は、前記パラメータセットと前記パラメータセットが設定されるリソースとの対応付けの切り替えを示す情報を含む、請求項２に記載の基地局装置。
【請求項４】
前記切り替えるための情報は、通信相手の端末装置との通信に利用されるリソースを示す情報を含む、請求項２に記載の基地局装置。
【請求項５】
前記切り替えるための情報は、切り替え先の前記パラメータセットを示す情報を含む、請求項１に記載の基地局装置。
【請求項６】
前記切り替えるための情報は、切り替え候補の複数の前記パラメータセットを示す情報を含む、請求項５に記載の基地局装置。
【請求項７】
前記切り替えるための情報は、切り替え実施有無を示す情報を含む、請求項１に記載の基地局装置。
【請求項８】
前記切り替えるための情報は、切り替えのタイミングを示す情報を含む、請求項１に記載の基地局装置。
【請求項９】
前記制御部は、前記切り替えるための情報を明示的に送信する、請求項１に記載の基地局装置。
【請求項１０】
前記制御部は、前記切り替えるための情報を暗示的に送信する、請求項１に記載の基地局装置。
【請求項１１】
前記制御部は、通信相手の端末装置の固有の識別情報に対応する複数の識別情報のうち、前記切り替えるための情報に応じた識別情報を用いた符号化を行う、請求項１０に記載の基地局装置。
【請求項１２】
前記制御部は、通信相手の端末装置のケイパビリティに応じて、前記パラメータセットごとの切り替え可否を制限する、請求項１に記載の基地局装置。
【請求項１３】
前記切り替えるための情報は、ＤＣＩに含まれて送信される、請求項１に記載の基地局装置。
【請求項１４】
前記切り替えるための情報は、ＲＲＣシグナリングに含まれて送信される、請求項１に記載の基地局装置。
【請求項１５】
前記切り替えるための情報は、システム情報に含まれて送信される、請求項１に記載の基地局装置。
【請求項１６】
サブキャリア間隔及びシンボル長が可変に設定されたリソースを、サブキャリア間隔及びシンボル長を示すパラメータセットを設定内容に応じて切り替えるために通知された情報に基づいて受信する制御部、
を備える端末装置。
【請求項１７】
通信に利用されるサブキャリア間隔及びシンボル長を可変に設定し、サブキャリア間隔及びシンボル長を示すパラメータセットを設定内容に応じて切り替えるための情報をプロセッサにより通知すること、
を含む方法。
【請求項１８】
サブキャリア間隔及びシンボル長が可変に設定されたリソースを、サブキャリア間隔及びシンボル長を示すパラメータセットを設定内容に応じて切り替えるために通知された情報に基づいてプロセッサにより受信すること、
を含む方法。
【請求項１９】
コンピュータを、
通信に利用されるサブキャリア間隔及びシンボル長を可変に設定し、サブキャリア間隔及びシンボル長を示すパラメータセットを設定内容に応じて切り替えるための情報を通知する制御部、
として機能させるためのプログラムが記憶された記憶媒体。
【請求項２０】
コンピュータを、
サブキャリア間隔及びシンボル長が可変に設定されたリソースを、サブキャリア間隔及びシンボル長を示すパラメータセットを設定内容に応じて切り替えるために通知された情報に基づいて受信する制御部、
として機能させるためのプログラムが記憶された記憶媒体。
【発明の詳細な説明】
【技術分野】
【０００１】
本開示は、基地局装置、端末装置、方法及び記憶媒体に関する。
【背景技術】
【０００２】
セルラー移動通信の無線アクセス方式および無線ネットワーク（以下、「Long  Term  Evolution（LTE）」、「LTE-Advanced（LTE-A）」、「LTE-Advanced  Pro（LTE-A  Pro）」、「New  Radio（NR）」、「New  Radio  Access  Technology（NRAT）」、「Evolved  Universal  Terrestrial  Radio  Access（EUTRA）」、または「Further  EUTRA（FEUTRA）」とも称する。）が、第三世代パートナーシッププロジェクト（3rd  Generation  Partnership  Project:  3GPP）において検討されている。なお、以下の説明において、ＬＴＥは、LTE-A、LTE-A  Pro、およびEUTRAを含み、ＮＲは、NRAT、およびFEUTRAを含む。ＬＴＥおよびＮＲでは、基地局装置（基地局）はｅＮｏｄｅＢ（evolved  NodeB）、端末装置（移動局、移動局装置、端末）はＵＥ（User  Equipment）とも称する。ＬＴＥおよびＮＲは、基地局装置がカバーするエリアをセル状に複数配置するセルラー通信システムである。単一の基地局装置は複数のセルを管理してもよい。【０００３】
ＮＲは、ＬＴＥに対する次世代の無線アクセス方式として、ＬＴＥとは異なるＲＡＴ（Radio  Access  Technology）である。ＮＲは、ｅＭＢＢ（Enhanced  mobile  broadband）、ｍＭＴＣ（Massive  machine  type  communications）およびＵＲＬＬＣ（Ultra  reliable  and  low  latency  communications）を含む様々なユースケースに対応できるアクセス技術である。ＮＲは、それらのユースケースにおける利用シナリオ、要求条件、および配置シナリオなどに対応する技術フレームワークを目指して検討される。ＮＲのシナリオや要求条件の詳細は、非特許文献１に開示されている。
【先行技術文献】
【非特許文献】
【０００４】
【非特許文献１】3rd  Generation  Partnership  Project;  Technical  Specification  Group  Radio  Access  Network;  Study  on  Scenarios  and  Requirements  for  Next  Generation  Access  Technologies;  (Release  14),  3GPP  TR  38.913  V0.2.0  (2016-02).インターネット<URL:http://www.3gpp.org/ftp//Specs/archive/38_series/38.913/38913-020.zip>
【発明の概要】
【発明が解決しようとする課題】
【０００５】
無線アクセス技術において、サブキャリア間隔やシンボル長のような送信信号などのパラメータ（物理パラメータ）は、ユースケースに応じて最適に設計されることが好ましい。しかしながら、ＬＴＥの拡張技術の検討において、その拡張技術を用いる端末装置は、周波数利用効率の観点から、従来のＬＴＥの端末装置との多重を行うことが重要である。そのため、ＬＴＥにおける拡張技術は後方互換性が求められ、その拡張技術に対して制限を与えることになりうる。結果として、そのような制限はシステム全体の伝送効率に対する影響を及ぼすことになりうる。【０００６】
本開示は、上記問題を鑑みてなされたものであり、その目的は、基地局装置と端末装置が通信する通信システムにおいて、様々なユースケースに応じて柔軟に設計することにより、システム全体の伝送効率を大幅に向上させることができる基地局装置、端末装置、通信システム、通信方法および集積回路を提供することにある。
【課題を解決するための手段】
【０００７】
本開示によれば、通信に利用されるサブキャリア間隔及びシンボル長を可変に設定し、サブキャリア間隔及びシンボル長を示すパラメータセットを設定内容に応じて切り替えるための情報を通知する制御部、を備える基地局装置が提供される。【０００８】
また、本開示によれば、サブキャリア間隔及びシンボル長が可変に設定されたリソースを、サブキャリア間隔及びシンボル長を示すパラメータセットを設定内容に応じて切り替えるために通知された情報に基づいて受信する制御部、を備える端末装置が提供される。【０００９】
また、本開示によれば、通信に利用されるサブキャリア間隔及びシンボル長を可変に設定し、サブキャリア間隔及びシンボル長を示すパラメータセットを設定内容に応じて切り替えるための情報をプロセッサにより通知すること、を含む方法が提供される。【００１０】
また、本開示によれば、サブキャリア間隔及びシンボル長が可変に設定されたリソースを、サブキャリア間隔及びシンボル長を示すパラメータセットを設定内容に応じて切り替えるために通知された情報に基づいてプロセッサにより受信すること、を含む方法が提供される。【００１１】
また、本開示によれば、コンピュータを、通信に利用されるサブキャリア間隔及びシンボル長を可変に設定し、サブキャリア間隔及びシンボル長を示すパラメータセットを設定内容に応じて切り替えるための情報を通知する制御部、として機能させるためのプログラムが記憶された記憶媒体が提供される。【００１２】
また、本開示によれば、コンピュータを、サブキャリア間隔及びシンボル長が可変に設定されたリソースを、サブキャリア間隔及びシンボル長を示すパラメータセットを設定内容に応じて切り替えるために通知された情報に基づいて受信する制御部、として機能させるためのプログラムが記憶された記憶媒体が提供される。
【発明の効果】
【００１３】
以上説明したように本開示によれば、基地局装置と端末装置が通信する無線通信システムにおいて、伝送効率を向上させることができる。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１４】
【図１】本実施形態におけるコンポーネントキャリアの設定の一例を示す図である。
【図２】本実施形態におけるコンポーネントキャリアの設定の一例を示す図である。
【図３】本実施形態におけるＬＴＥの下りリンクサブフレームの一例を示す図である。
【図４】本実施形態におけるＬＴＥの上りリンクサブフレームの一例を示す図である。
【図５】ＮＲセルにおける送信信号に関するパラメータセットの一例を示す図である。
【図６】本実施形態におけるＮＲの下りリンクサブフレームの一例を示す図である。
【図７】本実施形態におけるＮＲの上りリンクサブフレームの一例を示す図である。
【図８】本実施形態の基地局装置の構成を示す概略ブロック図である。
【図９】本実施形態の端末装置の構成を示す概略ブロック図である。
【図１０】本実施形態におけるＬＴＥの下りリンクリソースエレメントマッピングの一例を示す図である。
【図１１】本実施形態におけるＮＲの下りリンクリソースエレメントマッピングの一例を示す図である。
【図１２】本実施形態におけるＮＲの下りリンクリソースエレメントマッピングの一例を示す図である。
【図１３】本実施形態におけるＮＲの下りリンクリソースエレメントマッピングの一例を示す図である。
【図１４】本実施形態における自己完結型送信のフレーム構成の一例を示す図である。
【図１５】本実施形態におけるパラメータセットの切り替えの一例を示す図である。
【図１６】本実施形態における準静的な切り替え方法の第１の例を説明するための図である。
【図１７】本実施形態における準静的な切り替え方法の第２の例を説明するための図である。
【図１８】本実施形態における準静的な切り替え方法の第３の例を説明するための図である。
【図１９】本実施形態における準静的な切り替え方法の第４の例を説明するための図である。
【図２０】本実施形態に係るパラメータセットマッピングの切り替えの一例を説明するための図である。
【図２１】本実施形態に係る通信システムにおいて実行される準静的なパラメータセットの切り替え処理の流れの一例を示すシーケンス図である。
【図２２】本実施形態に係る通信システムにおいて実行される動的なパラメータセットの切り替え処理の流れの一例を示すシーケンス図である。
【図２３】本実施形態に係る通信システムにおいて実行される動的なパラメータセットの切り替え処理の流れの一例を示すシーケンス図である。
【図２４】本実施形態における切り替え関連情報の暗示的な送信方法を説明するための図である。
【図２５】ｅＮＢの概略的な構成の第１の例を示すブロック図である。
【図２６】ｅＮＢの概略的な構成の第２の例を示すブロック図である。
【図２７】スマートフォンの概略的な構成の一例を示すブロック図である。
【図２８】カーナビゲーション装置の概略的な構成の一例を示すブロック図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。また、特に明記されない限り、以下で説明される技術、機能、方法、構成、手順、およびその他全ての記載は、ＬＴＥおよびＮＲに適用できる。
【００１６】
＜本実施形態における無線通信システム＞
本実施形態において、無線通信システムは、基地局装置１および端末装置２を少なくとも具備する。基地局装置１は複数の端末装置を収容できる。基地局装置１は、他の基地局装置とＸ２インターフェースの手段によって互いに接続できる。また、基地局装置１は、Ｓ１インターフェースの手段によってＥＰＣ（Evolved  Packet  Core）に接続できる。さらに、基地局装置１は、Ｓ１−ＭＭＥインターフェースの手段によってＭＭＥ（Mobility  Management  Entity）に接続でき、Ｓ１−Ｕインターフェースの手段によってＳ−ＧＷ（Serving  Gateway）に接続できる。Ｓ１インターフェースは、ＭＭＥおよび／またはＳ−ＧＷと基地局装置１との間で、多対多の接続をサポートしている。また、本実施形態において、基地局装置１および端末装置２は、それぞれＬＴＥおよび／またはＮＲをサポートする。
【００１７】
＜本実施形態における無線アクセス技術＞
本実施形態において、基地局装置１および端末装置２は、それぞれ１つ以上の無線アクセス技術（ＲＡＴ）をサポートする。例えば、ＲＡＴは、ＬＴＥおよびＮＲを含む。１つのＲＡＴは、１つのセル（コンポーネントキャリア）に対応する。すなわち、複数のＲＡＴがサポートされる場合、それらのＲＡＴは、それぞれ異なるセルに対応する。本実施形態において、セルは、下りリンクリソース、上りリンクリソース、および／または、サイドリンクの組み合わせである。また、以下の説明において、ＬＴＥに対応するセルはＬＴＥセルと呼称され、ＮＲに対応するセルはＮＲセルと呼称される。
【００１８】
下りリンクの通信は、基地局装置１から端末装置２に対する通信である。下りリンク送信は、基地局装置１から端末装置２に対する送信であり、下りリンク物理チャネルおよび／または下りリンク物理信号の送信である。上りリンクの通信は、端末装置２から基地局装置１に対する通信である。上りリンク送信は、端末装置２から基地局装置１に対する送信であり、上りリンク物理チャネルおよび／または上りリンク物理信号の送信である。サイドリンクの通信は、端末装置２から別の端末装置２に対する通信である。サイドリンク送信は、端末装置２から別の端末装置２に対する送信であり、サイドリンク物理チャネルおよび／またはサイドリンク物理信号の送信である。
【００１９】
サイドリンクの通信は、端末装置間の近接直接検出および近接直接通信のために定義される。サイドリンクの通信は、上りリンクおよび下りリンクと同様なフレーム構成を用いることができる。また、サイドリンクの通信は、上りリンクリソースおよび／または下りリンクリソースの一部（サブセット）に制限されうる。
【００２０】
基地局装置１および端末装置２は、下りリンク、上りリンクおよび／またはサイドリンクにおいて、１つ以上のセルの集合を用いる通信をサポートできる。複数のセルの集合は、キャリアアグリゲーションまたはデュアルコネクティビティとも呼称される。キャリアアグリゲーションとデュアルコネクティビティの詳細は後述される。また、それぞれのセルは、所定の周波数帯域幅を用いる。所定の周波数帯域幅における最大値、最小値および設定可能な値は、予め規定できる。
【００２１】
図１は、本実施形態におけるコンポーネントキャリアの設定の一例を示す図である。図１の例では、１つのＬＴＥセルと２つのＮＲセルが設定される。１つのＬＴＥセルは、プライマリーセルとして設定される。２つのＮＲセルは、それぞれプライマリーセカンダリーセルおよびセカンダリーセルとして設定される。２つのＮＲセルは、キャリアアグリゲーションにより統合される。また、ＬＴＥセルとＮＲセルは、デュアルコネクティビティにより統合される。なお、ＬＴＥセルとＮＲセルは、キャリアアグリゲーションにより統合されてもよい。図１の例では、ＮＲは、プライマリーセルであるＬＴＥセルにより接続をアシストされることが可能であるため、スタンドアロンで通信するための機能のような一部の機能をサポートしなくてもよい。スタンドアロンで通信するための機能は、初期接続に必要な機能を含む。
【００２２】
図２は、本実施形態におけるコンポーネントキャリアの設定の一例を示す図である。図２の例では、２つのＮＲセルが設定される。２つのＮＲセルは、それぞれプライマリーセルおよびセカンダリーセルとして設定され、キャリアアグリゲーションにより統合される。この場合、ＮＲセルがスタンドアロンで通信するための機能をサポートすることにより、ＬＴＥセルのアシストが不要になる。なお、２つのＮＲセルは、デュアルコネクティビティにより統合されてもよい。
【００２３】
＜本実施形態における無線フレーム構成＞
本実施形態において、１０ｍｓ（ミリ秒）で構成される無線フレーム（radio  frame）が規定される。無線フレームのそれぞれは２つのハーフフレームから構成される。ハーフフレームの時間間隔は、５ｍｓである。ハーフフレームのそれぞれは、５つのサブフレームから構成される。サブフレームの時間間隔は、１ｍｓであり、２つの連続するスロットによって定義される。スロットの時間間隔は、０．５ｍｓである。無線フレーム内のｉ番目のサブフレームは、（２×ｉ）番目のスロットと（２×ｉ＋１）番目のスロットとから構成される。つまり、無線フレームのそれぞれにおいて、１０個のサブフレームが規定される。
【００２４】
サブフレームは、下りリンクサブフレーム、上りリンクサブフレーム、スペシャルサブフレームおよびサイドリンクサブフレームなどを含む。
【００２５】
下りリンクサブフレームは下りリンク送信のために予約されるサブフレームである。上りリンクサブフレームは上りリンク送信のために予約されるサブフレームである。スペシャルサブフレームは３つのフィールドから構成される。３つのフィールドは、ＤｗＰＴＳ（Downlink  Pilot  Time  Slot）、ＧＰ（Guard  Period）、およびＵｐＰＴＳ（Uplink  Pilot  Time  Slot）を含む。ＤｗＰＴＳ、ＧＰ、およびＵｐＰＴＳの合計の長さは１ｍｓである。ＤｗＰＴＳは下りリンク送信のために予約されるフィールドである。ＵｐＰＴＳは上りリンク送信のために予約されるフィールドである。ＧＰは下りリンク送信および上りリンク送信が行われないフィールドである。なお、スペシャルサブフレームは、ＤｗＰＴＳおよびＧＰのみによって構成されてもよいし、ＧＰおよびＵｐＰＴＳのみによって構成されてもよい。スペシャルサブフレームは、ＴＤＤにおいて下りリンクサブフレームと上りリンクサブフレームとの間に配置され、下りリンクサブフレームから上りリンクサブフレームに切り替えるために用いられる。サイドリンクサブフレームは、サイドリンク通信のために予約または設定されるサブフレームである。サイドリンクは、端末装置間の近接直接通信および近接直接検出のために用いられる。
【００２６】
単一の無線フレームは、下りリンクサブフレーム、上りリンクサブフレーム、スペシャルサブフレームおよび／またはサイドリンクサブフレームから構成される。また、単一の無線フレームは、下りリンクサブフレーム、上りリンクサブフレーム、スペシャルサブフレームまたはサイドリンクサブフレームのみで構成されてもよい。
【００２７】
複数の無線フレーム構成がサポートされる。無線フレーム構成は、フレーム構成タイプで規定される。フレーム構成タイプ１は、ＦＤＤのみに適用できる。フレーム構成タイプ２は、ＴＤＤのみに適用できる。フレーム構成タイプ３は、ＬＡＡ（Licensed  Assisted  Access）セカンダリーセルの運用のみに適用できる。
【００２８】
フレーム構成タイプ２において、複数の上りリンク−下りリンク構成が規定される。上りリンク−下りリンク構成において、１つの無線フレームにおける１０のサブフレームのそれぞれは、下りリンクサブフレーム、上りリンクサブフレーム、およびスペシャルサブフレームのいずれかに対応する。サブフレーム０、サブフレーム５およびＤｗＰＴＳは常に下りリンク送信のために予約される。ＵｐＰＴＳおよびそのスペシャルサブフレームの直後のサブフレームは常に上りリンク送信のために予約される。
【００２９】
フレーム構成タイプ３において、１つの無線フレーム内の１０のサブフレームが下りリンク送信のために予約される。端末装置２は、ＰＤＳＣＨまたは検出信号が送信されないサブフレームを空のサブフレームとして扱うことができる。端末装置２は、所定の信号、チャネルおよび／または下りリンク送信があるサブフレームで検出されない限り、そのサブフレームにいかなる信号および／またはチャネルも存在しないと想定する。下りリンク送信は、１つまたは複数の連続したサブフレームで専有される。その下りリンク送信の最初のサブフレームは、そのサブフレーム内のどこからでも開始されてもよい。その下りリンク送信の最後のサブフレームは、完全に専有されるか、ＤｗＰＴＳで規定される時間間隔で専有されるか、のいずれかであってもよい。
【００３０】
なお、フレーム構成タイプ３において、１つの無線フレーム内の１０のサブフレームが上りリンク送信のために予約されてもよい。また、１つの無線フレーム内の１０のサブフレームのそれぞれが、下りリンクサブフレーム、上りリンクサブフレーム、スペシャルサブフレームおよびサイドリンクサブフレームのいずれかに対応するようにしてもよい。
【００３１】
基地局装置１は、スペシャルサブフレームのＤｗＰＴＳにおいて、下りリンク物理チャネルおよび下りリンク物理信号を送信してもよい。基地局装置１は、スペシャルサブフレームのＤｗＰＴＳにおいて、ＰＢＣＨの送信を制限できる。端末装置２は、スペシャルサブフレームのＵｐＰＴＳにおいて、上りリンク物理チャネルおよび上りリンク物理信号を送信してもよい。端末装置２は、スペシャルサブフレームのＵｐＰＴＳにおいて、一部の上りリンク物理チャネルおよび上りリンク物理信号の送信を制限できる。
【００３２】
なお、１つの送信における時間間隔はＴＴＩ（Transmission  Time  Interval）と呼称され、ＬＴＥにおいて、１ｍｓ（１サブフレーム）を１ＴＴＩと定義される。
【００３３】
＜本実施形態におけるＬＴＥのフレーム構成＞
図３は、本実施形態におけるＬＴＥの下りリンクサブフレームの一例を示す図である。図３に示される図は、ＬＴＥの下りリンクリソースグリッドとも呼称される。基地局装置１は、端末装置２への下りリンクサブフレームにおいて、ＬＴＥの下りリンク物理チャネルおよび／またはＬＴＥの下りリンク物理信号を送信できる。端末装置２は、基地局装置１からの下りリンクサブフレームにおいて、ＬＴＥの下りリンク物理チャネルおよび／またはＬＴＥの下りリンク物理信号を受信できる。
【００３４】
図４は、本実施形態におけるＬＴＥの上りリンクサブフレームの一例を示す図である。図４に示される図は、ＬＴＥの上りリンクリソースグリッドとも呼称される。端末装置２は、基地局装置１への上りリンクサブフレームにおいて、ＬＴＥの上りリンク物理チャネルおよび／またはＬＴＥの上りリンク物理信号を送信できる。基地局装置１は、端末装置２からの上りリンクサブフレームにおいて、ＬＴＥの上りリンク物理チャネルおよび／またはＬＴＥの上りリンク物理信号を受信できる。
【００３５】
本実施形態において、ＬＴＥの物理リソースは以下のように定義されうる。１つのスロットは複数のシンボルによって定義される。スロットのそれぞれにおいて送信される物理信号または物理チャネルは、リソースグリッドによって表現される。下りリンクにおいて、リソースグリッドは、周波数方向に対する複数のサブキャリアと、時間方向に対する複数のＯＦＤＭシンボルによって定義される。上りリンクにおいて、リソースグリッドは、周波数方向に対する複数のサブキャリアと、時間方向に対する複数のＳＣ−ＦＤＭＡシンボルによって定義される。サブキャリアまたはリソースブロックの数は、セルの帯域幅に依存して決まるようにしてもよい。１つのスロットにおけるシンボルの数は、ＣＰ（Cyclic  Prefix）のタイプによって決まる。ＣＰのタイプは、ノーマルＣＰまたは拡張ＣＰである。ノーマルＣＰにおいて、１つのスロットを構成するＯＦＤＭシンボルまたはＳＣ−ＦＤＭＡシンボルの数は７である。拡張ＣＰにおいて、１つのスロットを構成するＯＦＤＭシンボルまたはＳＣ−ＦＤＭＡシンボルの数は６である。リソースグリッド内のエレメントのそれぞれはリソースエレメントと称される。リソースエレメントは、サブキャリアのインデックス（番号）とシンボルのインデックス（番号）とを用いて識別される。なお、本実施形態の説明において、ＯＦＤＭシンボルまたはＳＣ−ＦＤＭＡシンボルは単にシンボルとも呼称される。
【００３６】
リソースブロックは、ある物理チャネル（ＰＤＳＣＨまたはＰＵＳＣＨなど）をリソースエレメントにマッピングするために用いられる。リソースブロックは、仮想リソースブロックと物理リソースブロックを含む。ある物理チャネルは、仮想リソースブロックにマッピングされる。仮想リソースブロックは、物理リソースブロックにマッピングされる。１つの物理リソースブロックは、時間領域において所定数の連続するシンボルで定義される。１つの物理リソースブロックは、周波数領域において所定数の連続するサブキャリアとから定義される。１つの物理リソースブロックにおけるシンボル数およびサブキャリア数は、そのセルにおけるＣＰのタイプ、サブキャリア間隔および／または上位層によって設定されるパラメータなどに基づいて決まる。例えば、ＣＰのタイプがノーマルＣＰであり、サブキャリア間隔が１５ｋＨｚである場合、１つの物理リソースブロックにおけるシンボル数は７であり、サブキャリア数は１２である。その場合、１つの物理リソースブロックは（７×１２）個のリソースエレメントから構成される。物理リソースブロックは周波数領域において０から番号が付けられる。また、同一の物理リソースブロック番号が対応する、１つのサブフレーム内の２つのリソースブロックは、物理リソースブロックペア（ＰＲＢペア、ＲＢペア）として定義される。
【００３７】
ＬＴＥセルのそれぞれにおいて、あるサブフレームでは、１つの所定のパラメータが用いられる。例えば、その所定のパラメータは、送信信号に関するパラメータ（物理パラメータ）である。送信信号に関するパラメータは、ＣＰ長、サブキャリア間隔、１つのサブフレーム（所定の時間長）におけるシンボル数、１つのリソースブロック（所定の周波数帯域）のおけるサブキャリア数、多元接続方式、および、信号波形などを含む。
【００３８】
すなわち、ＬＴＥセルでは、下りリンク信号および上りリンク信号は、それぞれ所定の時間長（例えば、サブフレーム）において、１つの所定のパラメータを用いて生成される。換言すると、端末装置２は、基地局装置１から送信される下りリンク信号、および、基地局装置１に送信する上りリンク信号が、それぞれ所定の時間長において、１つの所定のパラメータで生成される、と想定する。また、基地局装置１は、端末装置２に送信する下りリンク信号、および、端末装置２から送信される上りリンク信号が、それぞれ所定の時間長において、１つの所定のパラメータで生成されるように設定する。
【００３９】
＜本実施形態におけるＮＲのフレーム構成＞
ＮＲセルのそれぞれにおいて、ある所定の時間長（例えば、サブフレーム）では、１つ以上の所定のパラメータが用いられる。すなわち、ＮＲセルでは、下りリンク信号および上りリンク信号は、それぞれ所定の時間長において、１つ以上の所定のパラメータを用いて生成される。換言すると、端末装置２は、基地局装置１から送信される下りリンク信号、および、基地局装置１に送信する上りリンク信号が、それぞれ所定の時間長において、１つ以上の所定のパラメータで生成される、と想定する。また、基地局装置１は、端末装置２に送信する下りリンク信号、および、端末装置２から送信される上りリンク信号が、それぞれ所定の時間長において、１つ以上の所定のパラメータで生成されるように設定できる。複数の所定のパラメータが用いられる場合、それらの所定のパラメータが用いられて生成される信号は、所定の方法により多重される。例えば、所定の方法は、ＦＤＭ（Frequency  Division  Multiplexing）、ＴＤＭ（Time  Division  Multiplexing）、ＣＤＭ（Code  Division  Multiplexing）および／またはＳＤＭ（Spatial  Division  Multiplexing）などを含む。
【００４０】
ＮＲセルに設定される所定のパラメータの組み合わせは、パラメータセットとして、複数種類を予め規定できる。
【００４１】
図５は、ＮＲセルにおける送信信号に関するパラメータセットの一例を示す図である。図５の例では、パラメータセットに含まれる送信信号に関するパラメータは、サブキャリア間隔、ＮＲセルにおけるリソースブロックあたりのサブキャリア数、サブフレームあたりのシンボル数、および、ＣＰ長タイプである。ＣＰ長タイプは、ＮＲセルで用いられるＣＰ長のタイプである。例えば、ＣＰ長タイプ１はＬＴＥにおけるノーマルＣＰに相当し、ＣＰ長タイプ２はＬＴＥにおける拡張ＣＰに相当する。
ＮＲセルにおける送信信号に関するパラメータセットは、下りリンクおよび上りリンクでそれぞれ個別に規定することができる。また、ＮＲセルにおける送信信号に関するパラメータセットは、下りリンクおよび上りリンクでそれぞれ独立に設定できる。
【００４２】
図６は、本実施形態におけるＮＲの下りリンクサブフレームの一例を示す図である。図６の例では、パラメータセット１、パラメータセット０およびパラメータセット２を用いて生成される信号が、セル（システム帯域幅）において、ＦＤＭされる。図６に示される図は、ＮＲの下りリンクリソースグリッドとも呼称される。基地局装置１は、端末装置２への下りリンクサブフレームにおいて、ＮＲの下りリンク物理チャネルおよび／またはＮＲの下りリンク物理信号を送信できる。端末装置２は、基地局装置１からの下りリンクサブフレームにおいて、ＮＲの下りリンク物理チャネルおよび／またはＮＲの下りリンク物理信号を受信できる。
【００４３】
図７は、本実施形態におけるＮＲの上りリンクサブフレームの一例を示す図である。図７の例では、パラメータセット１、パラメータセット０およびパラメータセット２を用いて生成される信号が、セル（システム帯域幅）において、ＦＤＭされる。図７に示される図は、ＮＲの上りリンクリソースグリッドとも呼称される。基地局装置１は、端末装置２への上りリンクサブフレームにおいて、ＮＲの上りリンク物理チャネルおよび／またはＮＲの上りリンク物理信号を送信できる。端末装置２は、基地局装置１からの上りリンクサブフレームにおいて、ＮＲの上りリンク物理チャネルおよび／またはＮＲの上りリンク物理信号を受信できる。
【００４４】
＜本実施形態におけるアンテナポート＞
アンテナポートは、あるシンボルを運ぶ伝搬チャネルが、同一のアンテナポートにおける別のシンボルを運ぶ伝搬チャネルから推測できるようにするために定義される。例えば、同一のアンテナポートにおける異なる物理リソースは、同一の伝搬チャネルで送信されていると想定できる。すなわち、あるアンテナポートにおけるシンボルは、そのアンテナポートにおける参照信号により伝搬チャネルを推定し、復調することができる。また、アンテナポート毎に１つのリソースグリッドがある。アンテナポートは、参照信号によって定義される。また、それぞれの参照信号は、複数のアンテナポートを定義できる。
【００４５】
アンテナポートはアンテナポート番号によって特定または識別される。例えば、アンテナポート０〜３は、ＣＲＳが送信されるアンテナポートである。すなわち、アンテナポート０〜３で送信されるＰＤＳＣＨは、アンテナポート０〜３に対応するＣＲＳで復調できる。
【００４６】
２つのアンテナポートは所定の条件を満たす場合、準同一位置（ＱＣＬ：Quasi  co-location）であると表すことができる。その所定の条件は、あるアンテナポートにおけるシンボルを運ぶ伝搬チャネルの広域的特性が、別のアンテナポートにおけるシンボルを運ぶ伝搬チャネルから推測できることである。広域的特性は、遅延分散、ドップラースプレッド、ドップラーシフト、平均利得および／または平均遅延を含む。
【００４７】
本実施形態において、アンテナポート番号は、ＲＡＴ毎に異なって定義されてもよいし、ＲＡＴ間で共通に定義されてもよい。例えば、ＬＴＥにおけるアンテナポート０〜３は、ＣＲＳが送信されるアンテナポートである。ＮＲにおいて、アンテナポート０〜３は、ＬＴＥと同様のＣＲＳが送信されるアンテナポートとすることができる。また、ＮＲにおいて、ＬＴＥと同様のＣＲＳが送信されるアンテナポートは、アンテナポート０〜３とは異なるアンテナポート番号とすることができる。本実施形態の説明において、所定のアンテナポート番号は、ＬＴＥおよび／またはＮＲに対して適用できる。
【００４８】
＜本実施形態における物理チャネルおよび物理信号＞
本実施形態において、物理チャネルおよび物理信号が用いられる。
【００４９】
物理チャネルは、下りリンク物理チャネル、上りリンク物理チャネルおよびサイドリンク物理チャネルを含む。物理信号は、下りリンク物理信号、上りリンク物理信号およびサイドリンク物理信号を含む。
【００５０】
ＬＴＥにおける物理チャネルおよび物理信号は、それぞれＬＴＥ物理チャネルおよびＬＴＥ物理信号とも呼称される。ＮＲにおける物理チャネルおよび物理信号は、それぞれＮＲ物理チャネルおよびＮＲ物理信号とも呼称される。ＬＴＥ物理チャネルおよびＮＲ物理チャネルは、それぞれ異なる物理チャネルとして定義できる。ＬＴＥ物理信号およびＮＲ物理信号は、それぞれ異なる物理信号として定義できる。本実施形態の説明において、ＬＴＥ物理チャネルおよびＮＲ物理チャネルは単に物理チャネルとも呼称され、ＬＴＥ物理信号およびＮＲ物理信号は単に物理信号とも呼称される。すなわち、物理チャネルに対する説明は、ＬＴＥ物理チャネルおよびＮＲ物理チャネルのいずれに対しても適用できる。物理信号に対する説明は、ＬＴＥ物理信号およびＮＲ物理信号のいずれに対しても適用できる。
【００５１】
＜本実施形態におけるＮＲ物理チャネルおよびＮＲ物理信号＞
既に説明したように、物理チャネルおよび物理信号に対する説明は、それぞれＮＲ物理チャネルおよびＮＲ物理信号に対しても適用できる。ＮＲ物理チャネルおよびＮＲ物理信号は、以下のように呼称される。
【００５２】
ＮＲ下りリンク物理チャネルは、ＮＲ−ＰＢＣＨ、ＮＲ−ＰＣＦＩＣＨ、ＮＲ−ＰＨＩＣＨ、ＮＲ−ＰＤＣＣＨ、ＮＲ−ＥＰＤＣＣＨ、ＮＲ−ＭＰＤＣＣＨ、ＮＲ−Ｒ−ＰＤＣＣＨ、ＮＲ−ＰＤＳＣＨ、および、ＮＲ−ＰＭＣＨなどを含む。
【００５３】
ＮＲ下りリンク物理信号は、ＮＲ−ＳＳ、ＮＲ−ＤＬ−ＲＳおよびＮＲ−ＤＳなどを含む。ＮＲ−ＳＳは、ＮＲ−ＰＳＳおよびＮＲ−ＳＳＳなどを含む。ＮＲ−ＲＳは、ＮＲ−ＣＲＳ、ＮＲ−ＰＤＳＣＨ−ＤＭＲＳ、ＮＲ−ＥＰＤＣＣＨ−ＤＭＲＳ、ＮＲ−ＰＲＳ、ＮＲ−ＣＳＩ−ＲＳ、およびＮＲ−ＴＲＳなどを含む。
【００５４】
ＮＲ上りリンク物理チャネルは、ＮＲ−ＰＵＳＣＨ、ＮＲ−ＰＵＣＣＨ、およびＮＲ−ＰＲＡＣＨなどを含む。
【００５５】
ＮＲ上りリンク物理信号は、ＮＲ−ＵＬ−ＲＳを含む。ＮＲ−ＵＬ−ＲＳは、ＮＲ−ＵＬ−ＤＭＲＳおよびＮＲ−ＳＲＳなどを含む。
【００５６】
ＮＲサイドリンク物理チャネルは、ＮＲ−ＰＳＢＣＨ、ＮＲ−ＰＳＣＣＨ、ＮＲ−ＰＳＤＣＨ、およびＮＲ−ＰＳＳＣＨなどを含む。
【００５７】
＜本実施形態における下りリンク物理チャネル＞
ＰＢＣＨは、基地局装置１のサービングセルに固有の報知情報であるＭＩＢ（Master  Information  Block）を報知するために用いられる。ＰＢＣＨは無線フレーム内のサブフレーム０のみで送信される。ＭＩＢは、４０ｍｓ間隔で更新できる。ＰＢＣＨは１０ｍｓ周期で繰り返し送信される。具体的には、ＳＦＮ（System  Frame  Number）を４で割った余りが０である条件を満たす無線フレームにおけるサブフレーム０においてＭＩＢの初期送信が行なわれ、他の全ての無線フレームにおけるサブフレーム０においてＭＩＢの再送信（repetition）が行われる。ＳＦＮは無線フレームの番号（システムフレーム番号）である。ＭＩＢはシステム情報である。例えば、ＭＩＢは、ＳＦＮを示す情報を含む。
【００５８】
ＰＣＦＩＣＨは、ＰＤＣＣＨの送信に用いられるＯＦＤＭシンボルの数に関する情報を送信するために用いられる。ＰＣＦＩＣＨで示される領域は、ＰＤＣＣＨ領域とも呼称される。ＰＣＦＩＣＨで送信される情報は、ＣＦＩ（Control  Format  Indicator）とも呼称される。
【００５９】
ＰＨＩＣＨは、基地局装置１が受信した上りリンクデータ（Uplink  Shared  Channel:  UL-SCH）に対するＡＣＫ（ACKnowledgement）またはＮＡＣＫ（Negative  ACKnowledgement）を示すＨＡＲＱ−ＡＣＫ（ＨＡＲＱインディケータ、ＨＡＲＱフィードバック、応答情報）を送信するために用いられる。例えば、端末装置２がＡＣＫを示すＨＡＲＱ−ＡＣＫを受信した場合は、対応する上りリンクデータを再送しない。例えば、端末装置２がＮＡＣＫを示すＨＡＲＱ−ＡＣＫを受信した場合は、端末装置２は対応する上りリンクデータを所定の上りリンクサブフレームで再送する。あるＰＨＩＣＨは、ある上りリンクデータに対するＨＡＲＱ−ＡＣＫを送信する。基地局装置１は、同一のＰＵＳＣＨに含まれる複数の上りリンクデータに対するＨＡＲＱ−ＡＣＫのそれぞれを複数のＰＨＩＣＨを用いて送信する。
【００６０】
ＰＤＣＣＨおよびＥＰＤＣＣＨは、下りリンク制御情報（Downlink  Control  Information:  DCI）を送信するために用いられる。下りリンク制御情報の情報ビットのマッピングが、ＤＣＩフォーマットとして定義される。下りリンク制御情報は、下りリンクグラント（downlink  grant）および上りリンクグラント（uplink  grant）を含む。下りリンクグラントは、下りリンクアサインメント（downlink  assignment）または下りリンク割り当て（downlink  allocation）とも称する。
【００６１】
ＰＤＣＣＨは、連続する１つまたは複数のＣＣＥ（Control  Channel  Element）の集合によって送信される。ＣＣＥは、９つのＲＥＧ（Resource  Element  Group）で構成される。ＲＥＧは、４つのリソースエレメントで構成される。ＰＤＣＣＨがｎ個の連続するＣＣＥで構成される場合、そのＰＤＣＣＨは、ＣＣＥのインデックス（番号）であるｉをｎで割った余りが０である条件を満たすＣＣＥから始まる。
【００６２】
ＥＰＤＣＣＨは、連続する１つまたは複数のＥＣＣＥ（Enhanced  Control  Channel  Element）の集合によって送信される。ＥＣＣＥは、複数のＥＲＥＧ（Enhanced  Resource  Element  Group）で構成される。
【００６３】
下りリンクグラントは、あるセル内のＰＤＳＣＨのスケジューリングに用いられる。下りリンクグラントは、その下りリンクグラントが送信されたサブフレームと同じサブフレーム内のＰＤＳＣＨのスケジューリングに用いられる。上りリンクグラントは、あるセル内のＰＵＳＣＨのスケジューリングに用いられる。上りリンクグラントは、その上りリンクグラントが送信されたサブフレームより４つ以上後のサブフレーム内の単一のＰＵＳＣＨのスケジューリングに用いられる。
【００６４】
ＤＣＩには、ＣＲＣ（Cyclic  Redundancy  Check）パリティビットが付加される。ＣＲＣパリティビットは、ＲＮＴＩ（Radio  Network  Temporary  Identifier）でスクランブルされる。ＲＮＴＩは、ＤＣＩの目的などに応じて、規定または設定できる識別子である。ＲＮＴＩは、仕様で予め規定される識別子、セルに固有の情報として設定される識別子、端末装置２に固有の情報として設定される識別子、または、端末装置２に属するグループに固有の情報として設定される識別子である。例えば、端末装置２は、ＰＤＣＣＨまたはＥＰＤＣＣＨのモニタリングにおいて、ＤＣＩに付加されたＣＲＣパリティビットに所定のＲＮＴＩでデスクランブルし、ＣＲＣが正しいかどうかを識別する。ＣＲＣが正しい場合、そのＤＣＩは端末装置２のためのＤＣＩであることが分かる。
【００６５】
ＰＤＳＣＨは、下りリンクデータ（Downlink  Shared  Channel:  DL-SCH）を送信するために用いられる。また、ＰＤＳＣＨは、上位層の制御情報を送信するためにも用いられる。
【００６６】
ＰＭＣＨは、マルチキャストデータ（Multicast  Channel:  MCH）を送信するために用いられる。
【００６７】
ＰＤＣＣＨ領域において、複数のＰＤＣＣＨが周波数、時間、および／または、空間多重されてもよい。ＥＰＤＣＣＨ領域において、複数のＥＰＤＣＣＨが周波数、時間、および／または、空間多重されてもよい。ＰＤＳＣＨ領域において、複数のＰＤＳＣＨが周波数、時間、および／または、空間多重されてもよい。ＰＤＣＣＨ、ＰＤＳＣＨおよび／またはＥＰＤＣＣＨは周波数、時間、および／または、空間多重されてもよい。
【００６８】
＜本実施形態における下りリンク物理信号＞
同期信号は、端末装置２が下りリンクの周波数領域および／または時間領域の同期をとるために用いられる。同期信号は、ＰＳＳ（Primary  Synchronization  Signal）およびＳＳＳ（Secondary  Synchronization  Signal）を含む。同期信号は無線フレーム内の所定のサブフレームに配置される。例えば、ＴＤＤ方式において、同期信号は無線フレーム内のサブフレーム０、１、５、および６に配置される。ＦＤＤ方式において、同期信号は無線フレーム内のサブフレーム０および５に配置される。
【００６９】
ＰＳＳは、粗いフレーム／シンボルタイミング同期（時間領域の同期）やセル識別グループの識別に用いられてもよい。ＳＳＳは、より正確なフレームタイミング同期やセルの識別、ＣＰ長の検出に用いられてもよい。つまり、ＰＳＳとＳＳＳを用いることによって、フレームタイミング同期とセル識別を行うことができる。
【００７０】
下りリンク参照信号は、端末装置２が下りリンク物理チャネルの伝搬路推定、伝搬路補正、下りリンクのＣＳＩ（Channel  State  Information、チャネル状態情報）の算出、および／または、端末装置２のポジショニングの測定を行うために用いられる。
【００７１】
ＣＲＳは、サブフレームの全帯域で送信される。ＣＲＳは、ＰＢＣＨ、ＰＤＣＣＨ、ＰＨＩＣＨ、ＰＣＦＩＣＨ、およびＰＤＳＣＨの受信（復調）を行うために用いられる。ＣＲＳは、端末装置２が下りリンクのチャネル状態情報を算出するために用いられてもよい。ＰＢＣＨ、ＰＤＣＣＨ、ＰＨＩＣＨ、およびＰＣＦＩＣＨは、ＣＲＳの送信に用いられるアンテナポートで送信される。ＣＲＳは、１、２または４のアンテナポートの構成をサポートする。ＣＲＳは、アンテナポート０〜３の１つまたは複数で送信される。
【００７２】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。ＰＤＳＣＨに関連するＵＲＳは、アンテナポート５、７〜１４の１つまたは複数で送信される。
【００７３】
ＰＤＳＣＨは、送信モードおよびＤＣＩフォーマットに基づいて、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【００７４】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。ＥＰＤＣＣＨに関連するＤＭＲＳは、アンテナポート１０７〜１１４の１つまたは複数で送信される。
【００７５】
ＣＳＩ−ＲＳは、設定されたサブフレームで送信される。ＣＳＩ−ＲＳが送信されるリソースは、基地局装置１によって設定される。ＣＳＩ−ＲＳは、端末装置２が下りリンクのチャネル状態情報を算出するために用いられる。端末装置２は、ＣＳＩ−ＲＳを用いて信号測定（チャネル測定）を行う。ＣＳＩ−ＲＳは、１、２、４、８、１２、１６、２４および３２の一部または全部のアンテナポートの設定をサポートする。ＣＳＩ−ＲＳは、アンテナポート１５〜４６の１つまたは複数で送信される。なお、サポートされるアンテナポートは、端末装置２の端末装置ケイパビリティ、ＲＲＣパラメータの設定、および／または設定される送信モードなどに基づいて決定されてもよい。
【００７６】
ＺＰ  ＣＳＩ−ＲＳのリソースは、上位層によって設定される。ＺＰ  ＣＳＩ−ＲＳのリソースはゼロ出力の電力で送信されてもよい。すなわち、ＺＰ  ＣＳＩ−ＲＳのリソースは何も送信しなくてもよい。ＺＰ  ＣＳＩ−ＲＳの設定したリソースにおいて、ＰＤＳＣＨおよびＥＰＤＣＣＨは送信されない。例えば、ＺＰ  ＣＳＩ−ＲＳのリソースは隣接セルがＮＺＰ  ＣＳＩ−ＲＳの送信を行うために用いられる。また、例えば、ＺＰ  ＣＳＩ−ＲＳのリソースはＣＳＩ−ＩＭを測定するために用いられる。また、例えば、ＺＰ  ＣＳＩ−ＲＳのリソースはＰＤＳＣＨなどの所定のチャネルが送信されないリソースである。換言すると、所定のチャネルは、ＺＰ  ＣＳＩ−ＲＳのリソースを除いて（レートマッチングして、パンクチャして）マッピングされる。
【００７７】
＜本実施形態における上りリンク物理チャネル＞
ＰＵＣＣＨは、上りリンク制御情報（Uplink  Control  Information:  UCI）を送信するために用いられる物理チャネルである。上りリンク制御情報は、下りリンクのチャネル状態情報（Channel  State  Information:  CSI）、ＰＵＳＣＨリソースの要求を示すスケジューリング要求（Scheduling  Request:  SR）、下りリンクデータ（Transport  block:  TB,  Downlink-Shared  Channel:  DL-SCH）に対するＨＡＲＱ−ＡＣＫを含む。ＨＡＲＱ−ＡＣＫは、ＡＣＫ／ＮＡＣＫ、ＨＡＲＱフィードバック、または、応答情報とも称される。また、下りリンクデータに対するＨＡＲＱ−ＡＣＫは、ＡＣＫ、ＮＡＣＫ、またはＤＴＸを示す。
【００７８】
ＰＵＳＣＨは、上りリンクデータ（Uplink-Shared  Channel:  UL-SCH）を送信するために用いられる物理チャネルである。また、ＰＵＳＣＨは、上りリンクデータと共にＨＡＲＱ−ＡＣＫおよび／またはチャネル状態情報を送信するために用いられてもよい。また、ＰＵＳＣＨは、チャネル状態情報のみ、または、ＨＡＲＱ−ＡＣＫおよびチャネル状態情報のみを送信するために用いられてもよい。
【００７９】
ＰＲＡＣＨは、ランダムアクセスプリアンブルを送信するために用いられる物理チャネルである。ＰＲＡＣＨは、端末装置２が基地局装置１と時間領域の同期をとるために用いられることができる。また、ＰＲＡＣＨは、初期コネクション構築（initial  connection  establishment）手続き（処理）、ハンドオーバ手続き、コネクション再構築（connection  re-establishment）手続き、上りリンク送信に対する同期（タイミング調整）、および／または、ＰＵＳＣＨリソースの要求を示すためにも用いられる。
【００８０】
ＰＵＣＣＨ領域において、複数のＰＵＣＣＨが周波数、時間、空間および／またはコード多重される。ＰＵＳＣＨ領域において、複数のＰＵＳＣＨが周波数、時間、空間および／またはコード多重されてもよい。ＰＵＣＣＨおよびＰＵＳＣＨは周波数、時間、空間および／またはコード多重されてもよい。ＰＲＡＣＨは単一のサブフレームまたは２つのサブフレームにわたって配置されてもよい。複数のＰＲＡＣＨが符号多重されてもよい。
【００８１】
＜本実施形態における制御チャネルのための物理リソース＞
リソースエレメントグループ（ＲＥＧ：Resource  Element  Group）は、リソースエレメントと制御チャネルのマッピングを定義するために用いられる。例えば、ＲＥＧは、ＰＤＣＣＨ、ＰＨＩＣＨ、またはＰＣＦＩＣＨのマッピングに用いられる。ＲＥＧは、同一のＯＦＤＭシンボル内であり、同一のリソースブロック内において、ＣＲＳのために用いられない４つの連続したリソースエレメントで構成される。また、ＲＥＧは、あるサブフレーム内の１番目のスロットにおける１番目のＯＦＤＭシンボルから４番目のＯＦＤＭシンボルの中で構成される。
【００８２】
拡張リソースエレメントグループ（ＥＲＥＧ：Enhanced  Resource  Element  Group）は、リソースエレメントと拡張制御チャネルのマッピングを定義するために用いられる。例えば、ＥＲＥＧは、ＥＰＤＣＣＨのマッピングに用いられる。１つのリソースブロックペアは１６のＥＲＥＧで構成される。それぞれのＥＲＥＧはリソースブロックペア毎に０から１５の番号が付される。それぞれのＥＲＥＧは、１つのリソースブロックペアにおいて、ＥＰＤＣＣＨに関連付けられたＤＭ−ＲＳのために用いられるリソースエレメントを除いた９つのリソースエレメントで構成される。
【００８３】
＜本実施形態における基地局装置１の構成例＞
図８は、本実施形態の基地局装置１の構成を示す概略ブロック図である。図示するように、基地局装置１は、上位層処理部１０１、制御部１０３、受信部１０５、送信部１０７、および、送受信アンテナ１０９、を含んで構成される。また、受信部１０５は、復号化部１０５１、復調部１０５３、多重分離部１０５５、無線受信部１０５７、およびチャネル測定部１０５９を含んで構成される。また、送信部１０７は、符号化部１０７１、変調部１０７３、多重部１０７５、無線送信部１０７７、および下りリンク参照信号生成部１０７９を含んで構成される。
【００８４】
既に説明したように、基地局装置１は、１つ以上のＲＡＴをサポートできる。図８に示す基地局装置１に含まれる各部の一部または全部は、ＲＡＴに応じて個別に構成されうる。例えば、受信部１０５および送信部１０７は、ＬＴＥとＮＲとで個別に構成される。また、ＮＲセルにおいて、図８に示す基地局装置１に含まれる各部の一部または全部は、送信信号に関するパラメータセットに応じて個別に構成されうる。例えば、あるＮＲセルにおいて、無線受信部１０５７および無線送信部１０７７は、送信信号に関するパラメータセットに応じて個別に構成されうる。
【００８５】
上位層処理部１０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行う。また、上位層処理部１０１は、受信部１０５、および送信部１０７の制御を行うために制御情報を生成し、制御部１０３に出力する。
【００８６】
制御部１０３は、上位層処理部１０１からの制御情報に基づいて、受信部１０５および送信部１０７の制御を行う。制御部１０３は、上位層処理部１０１への制御情報を生成し、上位層処理部１０１に出力する。制御部１０３は、復号化部１０５１からの復号化された信号およびチャネル測定部１０５９からのチャネル推定結果を入力する。制御部１０３は、符号化する信号を符号化部１０７１へ出力する。また、制御部１０３は、基地局装置１の全体または一部を制御するために用いられる。
【００８７】
上位層処理部１０１は、ＲＡＴ制御、無線リソース制御、サブフレーム設定、スケジューリング制御、および／または、ＣＳＩ報告制御に関する処理および管理を行う。上位層処理部１０１における処理および管理は、端末装置毎、または基地局装置に接続している端末装置共通に行われる。上位層処理部１０１における処理および管理は、上位層処理部１０１のみで行われてもよいし、上位ノードまたは他の基地局装置から取得してもよい。また、上位層処理部１０１における処理および管理は、ＲＡＴに応じて個別に行われてもよい。例えば、上位層処理部１０１は、ＬＴＥにおける処理および管理と、ＮＲにおける処理および管理とを個別に行う。
【００８８】
上位層処理部１０１におけるＲＡＴ制御では、ＲＡＴに関する管理が行われる。例えば、ＲＡＴ制御では、ＬＴＥに関する管理および／またはＮＲに関する管理が行われる。ＮＲに関する管理は、ＮＲセルにおける送信信号に関するパラメータセットの設定および処理を含む。
【００８９】
上位層処理部１０１における無線リソース制御では、下りリンクデータ（トランスポートブロック）、システムインフォメーション、ＲＲＣメッセージ（ＲＲＣパラメータ）、および／または、ＭＡＣ制御エレメント（ＣＥ：Control  Element）の生成および／または管理が行われる。
【００９０】
上位層処理部１０１におけるサブフレーム設定では、サブフレーム設定、サブフレームパターン設定、上りリンク−下りリンク設定、上りリンク参照ＵＬ−ＤＬ設定、および／または、下りリンク参照ＵＬ−ＤＬ設定の管理が行われる。なお、上位層処理部１０１におけるサブフレーム設定は、基地局サブフレーム設定とも呼称される。また、上位層処理部１０１におけるサブフレーム設定は、上りリンクのトラフィック量および下りリンクのトラフィック量に基づいて決定できる。また、上位層処理部１０１におけるサブフレーム設定は、上位層処理部１０１におけるスケジューリング制御のスケジューリング結果に基づいて決定できる。
【００９１】
上位層処理部１０１におけるスケジューリング制御では、受信したチャネル状態情報およびチャネル測定部１０５９から入力された伝搬路の推定値やチャネルの品質などに基づいて、物理チャネルを割り当てる周波数およびサブフレーム、物理チャネルの符号化率および変調方式および送信電力などが決定される。例えば、制御部１０３は、上位層処理部１０１におけるスケジューリング制御のスケジューリング結果に基づいて、制御情報（ＤＣＩフォーマット）を生成する。
【００９２】
上位層処理部１０１におけるＣＳＩ報告制御では、端末装置２のＣＳＩ報告が制御される。例えば、端末装置２においてＣＳＩを算出するために想定するためのＣＳＩ参照リソースに関する設定が制御される。
【００９３】
受信部１０５は、制御部１０３からの制御に従って、送受信アンテナ１０９を介して端末装置２から送信された信号を受信し、さらに分離、復調、復号などの受信処理を行い、受信処理された情報を制御部１０３に出力する。なお、受信部１０５における受信処理は、あらかじめ規定された設定、または基地局装置１が端末装置２に通知した設定に基づいて行われる。
【００９４】
無線受信部１０５７は、送受信アンテナ１０９を介して受信された上りリンクの信号に対して、中間周波数への変換（ダウンコンバート）、不要な周波数成分の除去、信号レベルが適切に維持されるように増幅レベルの制御、受信された信号の同相成分および直交成分に基づく直交復調、アナログ信号からディジタル信号への変換、ガードインターバル（Guard  Interval:  GI）の除去、および／または、高速フーリエ変換（Fast  Fourier  Transform:  FFT）による周波数領域信号の抽出を行う。
【００９５】
多重分離部１０５５は、無線受信部１０５７から入力された信号から、ＰＵＣＣＨまたはＰＵＳＣＨなどの上りリンクチャネルおよび／または上りリンク参照信号を分離する。多重分離部１０５５は、上りリンク参照信号をチャネル測定部１０５９に出力する。多重分離部１０５５は、チャネル測定部１０５９から入力された伝搬路の推定値から、上りリンクチャネルに対する伝搬路の補償を行う。
【００９６】
復調部１０５３は、上りリンクチャネルの変調シンボルに対して、ＢＰＳＫ（Binary  Phase  Shift  Keying）、ＱＰＳＫ（Quadrature  Phase  shift  Keying）、１６ＱＡＭ（Quadrature  Amplitude  Modulation）、６４ＱＡＭ、２５６ＱＡＭ等の変調方式を用いて受信信号の復調を行う。復調部１０５３は、ＭＩＭＯ多重された上りリンクチャネルの分離および復調を行う。
【００９７】
復号化部１０５１は、復調された上りリンクチャネルの符号化ビットに対して、復号処理を行う。復号された上りリンクデータおよび／または上りリンク制御情報は制御部１０３へ出力される。復号化部１０５１は、ＰＵＳＣＨに対しては、トランスポートブロック毎に復号処理を行う。
【００９８】
チャネル測定部１０５９は、多重分離部１０５５から入力された上りリンク参照信号から伝搬路の推定値および／またはチャネルの品質などを測定し、多重分離部１０５５および／または制御部１０３に出力する。例えば、チャネル測定部１０５９は、ＵＬ−ＤＭＲＳを用いてＰＵＣＣＨまたはＰＵＳＣＨに対する伝搬路補償を行うための伝搬路の推定値を測定し、ＳＲＳを用いて上りリンクにおけるチャネルの品質を測定する。
【００９９】
送信部１０７は、制御部１０３からの制御に従って、上位層処理部１０１から入力された下りリンク制御情報および下りリンクデータに対して、符号化、変調および多重などの送信処理を行う。例えば、送信部１０７は、ＰＨＩＣＨ、ＰＤＣＣＨ、ＥＰＤＣＣＨ、ＰＤＳＣＨ、および下りリンク参照信号を生成および多重し、送信信号を生成する。なお、送信部１０７における送信処理は、あらかじめ規定された設定、基地局装置１が端末装置２に通知した設定、または、同一のサブフレームで送信されるＰＤＣＣＨまたはＥＰＤＣＣＨを通じて通知される設定に基づいて行われる。
【０１００】
符号化部１０７１は、制御部１０３から入力されたＨＡＲＱインディケータ（ＨＡＲＱ−ＡＣＫ）、下りリンク制御情報、および下りリンクデータを、ブロック符号化、畳み込み符号化、ターボ符号化等の所定の符号化方式を用いて符号化を行う。変調部１０７３は、符号化部１０７１から入力された符号化ビットをＢＰＳＫ、ＱＰＳＫ、１６ＱＡＭ、６４ＱＡＭ、２５６ＱＡＭ等の所定の変調方式で変調する。下りリンク参照信号生成部１０７９は、物理セル識別子（ＰＣＩ：Physical  cell  identification）、端末装置２に設定されたＲＲＣパラメータなどに基づいて、下りリンク参照信号を生成する。多重部１０７５は、各チャネルの変調シンボルと下りリンク参照信号を多重し、所定のリソースエレメントに配置する。
【０１０１】
無線送信部１０７７は、多重部１０７５からの信号に対して、逆高速フーリエ変換（Inverse  Fast  Fourier  Transform:  IFFT）による時間領域の信号への変換、ガードインターバルの付加、ベースバンドのディジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部１０７７が出力した送信信号は、送受信アンテナ１０９から送信される。
【０１０２】
＜本実施形態における端末装置２の構成例＞
図９は、本実施形態の端末装置２の構成を示す概略ブロック図である。図示するように、端末装置２は、上位層処理部２０１、制御部２０３、受信部２０５、送信部２０７、および送受信アンテナ２０９を含んで構成される。また、受信部２０５は、復号化部２０５１、復調部２０５３、多重分離部２０５５、無線受信部２０５７、およびチャネル測定部２０５９を含んで構成される。また、送信部２０７は、符号化部２０７１、変調部２０７３、多重部２０７５、無線送信部２０７７、および上りリンク参照信号生成部２０７９を含んで構成される。
【０１０３】
既に説明したように、端末装置２は、１つ以上のＲＡＴをサポートできる。図９に示す端末装置２に含まれる各部の一部または全部は、ＲＡＴに応じて個別に構成されうる。例えば、受信部２０５および送信部２０７は、ＬＴＥとＮＲとで個別に構成される。また、ＮＲセルにおいて、図９に示す端末装置２に含まれる各部の一部または全部は、送信信号に関するパラメータセットに応じて個別に構成されうる。例えば、あるＮＲセルにおいて、無線受信部２０５７および無線送信部２０７７は、送信信号に関するパラメータセットに応じて個別に構成されうる。
【０１０４】
上位層処理部２０１は、上りリンクデータ（トランスポートブロック）を、制御部２０３に出力する。上位層処理部２０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行なう。また、上位層処理部２０１は、受信部２０５、および送信部２０７の制御を行うために制御情報を生成し、制御部２０３に出力する。
【０１０５】
制御部２０３は、上位層処理部２０１からの制御情報に基づいて、受信部２０５および送信部２０７の制御を行う。制御部２０３は、上位層処理部２０１への制御情報を生成し、上位層処理部２０１に出力する。制御部２０３は、復号化部２０５１からの復号化された信号およびチャネル測定部２０５９からのチャネル推定結果を入力する。制御部２０３は、符号化する信号を符号化部２０７１へ出力する。また、制御部２０３は、端末装置２の全体または一部を制御するために用いられてもよい。
【０１０６】
上位層処理部２０１は、ＲＡＴ制御、無線リソース制御、サブフレーム設定、スケジューリング制御、および／または、ＣＳＩ報告制御に関する処理および管理を行う。上位層処理部２０１における処理および管理は、あらかじめ規定される設定、および／または、基地局装置１から設定または通知される制御情報に基づく設定に基づいて行われる。例えば、基地局装置１からの制御情報は、ＲＲＣパラメータ、ＭＡＣ制御エレメントまたはＤＣＩを含む。また、上位層処理部２０１における処理および管理は、ＲＡＴに応じて個別に行われてもよい。例えば、上位層処理部２０１は、ＬＴＥにおける処理および管理と、ＮＲにおける処理および管理とを個別に行う。
【０１０７】
上位層処理部２０１におけるＲＡＴ制御では、ＲＡＴに関する管理が行われる。例えば、ＲＡＴ制御では、ＬＴＥに関する管理および／またはＮＲに関する管理が行われる。ＮＲに関する管理は、ＮＲセルにおける送信信号に関するパラメータセットの設定および処理を含む。
【０１０８】
上位層処理部２０１における無線リソース制御では、自装置における設定情報の管理が行われる。上位層処理部２０１における無線リソース制御では、上りリンクデータ（トランスポートブロック）、システムインフォメーション、ＲＲＣメッセージ（ＲＲＣパラメータ）、および／または、ＭＡＣ制御エレメント（ＣＥ：Control  Element）の生成および／または管理が行われる。
【０１０９】
上位層処理部２０１におけるサブフレーム設定では、基地局装置１および／または基地局装置１とは異なる基地局装置におけるサブフレーム設定が管理される。サブフレーム設定は、サブフレームに対する上りリンクまたは下りリンクの設定、サブフレームパターン設定、上りリンク−下りリンク設定、上りリンク参照ＵＬ−ＤＬ設定、および／または、下りリンク参照ＵＬ−ＤＬ設定を含む。なお、上位層処理部２０１におけるサブフレーム設定は、端末サブフレーム設定とも呼称される。
【０１１０】
上位層処理部２０１におけるスケジューリング制御では、基地局装置１からのＤＣＩ（スケジューリング情報）に基づいて、受信部２０５および送信部２０７に対するスケジューリングに関する制御を行うための制御情報が生成される。
【０１１１】
上位層処理部２０１におけるＣＳＩ報告制御では、基地局装置１に対するＣＳＩの報告に関する制御が行われる。例えば、ＣＳＩ報告制御では、チャネル測定部２０５９でＣＳＩを算出するために想定するためのＣＳＩ参照リソースに関する設定が制御される。ＣＳＩ報告制御では、ＤＣＩおよび／またはＲＲＣパラメータに基づいて、ＣＳＩを報告するために用いられるリソース（タイミング）を制御する。
【０１１２】
受信部２０５は、制御部２０３からの制御に従って、送受信アンテナ２０９を介して基地局装置１から送信された信号を受信し、さらに分離、復調、復号などの受信処理を行い、受信処理された情報を制御部２０３に出力する。なお、受信部２０５における受信処理は、あらかじめ規定された設定、または基地局装置１からの通知または設定に基づいて行われる。
【０１１３】
無線受信部２０５７は、送受信アンテナ２０９を介して受信された上りリンクの信号に対して、中間周波数への変換（ダウンコンバート）、不要な周波数成分の除去、信号レベルが適切に維持されるように増幅レベルの制御、受信された信号の同相成分および直交成分に基づく直交復調、アナログ信号からディジタル信号への変換、ガードインターバル（Guard  Interval:  GI）の除去、および／または、高速フーリエ変換（Fast  Fourier  Transform:  FFT）による周波数領域の信号の抽出を行う。
【０１１４】
多重分離部２０５５は、無線受信部２０５７から入力された信号から、ＰＨＩＣＨ、ＰＤＣＣＨ、ＥＰＤＣＣＨまたはＰＤＳＣＨなどの下りリンクチャネル、下りリンク同期信号および／または下りリンク参照信号を分離する。多重分離部２０５５は、下りリンク参照信号をチャネル測定部２０５９に出力する。多重分離部２０５５は、チャネル測定部２０５９から入力された伝搬路の推定値から、下りリンクチャネルに対する伝搬路の補償を行う。
【０１１５】
復調部２０５３は、下りリンクチャネルの変調シンボルに対して、ＢＰＳＫ、ＱＰＳＫ、１６ＱＡＭ、６４ＱＡＭ、２５６ＱＡＭ等の変調方式を用いて受信信号の復調を行う。復調部２０５３は、ＭＩＭＯ多重された下りリンクチャネルの分離および復調を行う。
【０１１６】
復号化部２０５１は、復調された下りリンクチャネルの符号化ビットに対して、復号処理を行う。復号された下りリンクデータおよび／または下りリンク制御情報は制御部２０３へ出力される。復号化部２０５１は、ＰＤＳＣＨに対しては、トランスポートブロック毎に復号処理を行う。
【０１１７】
チャネル測定部２０５９は、多重分離部２０５５から入力された下りリンク参照信号から伝搬路の推定値および／またはチャネルの品質などを測定し、多重分離部２０５５および／または制御部２０３に出力する。チャネル測定部２０５９が測定に用いる下りリンク参照信号は、少なくともＲＲＣパラメータによって設定される送信モードおよび／または他のＲＲＣパラメータに基づいて決定されてもよい。例えば、ＤＬ−ＤＭＲＳはＰＤＳＣＨまたはＥＰＤＣＣＨに対する伝搬路補償を行うための伝搬路の推定値を測定する。ＣＲＳはＰＤＣＣＨまたはＰＤＳＣＨに対する伝搬路補償を行うための伝搬路の推定値、および／または、ＣＳＩを報告するための下りリンクにおけるチャネルを測定する。ＣＳＩ−ＲＳは、ＣＳＩを報告するための下りリンクにおけるチャネルを測定する。チャネル測定部２０５９は、ＣＲＳ、ＣＳＩ−ＲＳまたは検出信号に基づいて、ＲＳＲＰ（Reference  Signal  Received  Power）および／またはＲＳＲＱ（Reference  Signal  Received  Quality）を算出し、上位層処理部２０１へ出力する。
【０１１８】
送信部２０７は、制御部２０３からの制御に従って、上位層処理部２０１から入力された上りリンク制御情報および上りリンクデータに対して、符号化、変調および多重などの送信処理を行う。例えば、送信部２０７は、ＰＵＳＣＨまたはＰＵＣＣＨなどの上りリンクチャネルおよび／または上りリンク参照信号を生成および多重し、送信信号を生成する。なお、送信部２０７における送信処理は、あらかじめ規定された設定、または、基地局装置１から設定または通知に基づいて行われる。
【０１１９】
符号化部２０７１は、制御部２０３から入力されたＨＡＲＱインディケータ（ＨＡＲＱ−ＡＣＫ）、上りリンク制御情報、および上りリンクデータを、ブロック符号化、畳込み符号化、ターボ符号化等の所定の符号化方式を用いて符号化を行う。変調部２０７３は、符号化部２０７１から入力された符号化ビットをＢＰＳＫ、ＱＰＳＫ、１６ＱＡＭ、６４ＱＡＭ、２５６ＱＡＭ等の所定の変調方式で変調する。上りリンク参照信号生成部２０７９は、端末装置２に設定されたＲＲＣパラメータなどに基づいて、上りリンク参照信号を生成する。多重部２０７５は、各チャネルの変調シンボルと上りリンク参照信号を多重し、所定のリソースエレメントに配置する。
【０１２０】
無線送信部２０７７は、多重部２０７５からの信号に対して、逆高速フーリエ変換（Inverse  Fast  Fourier  Transform:  IFFT）による時間領域の信号への変換、ガードインターバルの付加、ベースバンドのディジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部２０７７が出力した送信信号は、送受信アンテナ２０９から送信される。
【０１２１】
＜本実施形態における制御情報のシグナリング＞
基地局装置１および端末装置２は、それぞれ制御情報のシグナリング（通知、報知、設定）のために、様々な方法を用いることができる。制御情報のシグナリングは、様々な層（レイヤー）で行うことができる。制御情報のシグナリングは、物理層（レイヤー）を通じたシグナリングである物理層シグナリング、ＲＲＣ層を通じたシグナリングであるＲＲＣシグナリング、および、ＭＡＣ層を通じたシグナリングであるＭＡＣシグナリングなどを含む。ＲＲＣシグナリングは、端末装置２に固有の制御情報を通知する専用のＲＲＣシグナリング（Dedicated  RRC  signaling）、または、基地局装置１に固有の制御情報を通知する共通のＲＲＣシグナリング（Common  RRC  signaling）である。ＲＲＣシグナリングやＭＡＣシグナリングなど、物理層から見て上位の層が用いるシグナリングは上位層シグナリングとも呼称される。
【０１２２】
ＲＲＣシグナリングは、ＲＲＣパラメータをシグナリングすることにより実現される。ＭＡＣシグナリングは、ＭＡＣ制御エレメントをシグナリングすることにより実現される。物理層シグナリングは、下りリンク制御情報（ＤＣＩ：Downlink  Control  Information）または上りリンクリンク制御情報（ＵＣＩ：Uplink  Control  Information）をシグナリングすることにより実現される。ＲＲＣパラメータおよびＭＡＣ制御エレメントは、ＰＤＳＣＨまたはＰＵＳＣＨを用いて送信される。ＤＣＩは、ＰＤＣＣＨまたはＥＰＤＣＣＨを用いて送信される。ＵＣＩは、ＰＵＣＣＨまたはＰＵＳＣＨを用いて送信される。ＲＲＣシグナリングおよびＭＡＣシグナリングは、準静的（semi-static）な制御情報をシグナリングするために用いられ、準静的シグナリングとも呼称される。物理層シグナリングは、動的（dynamic）な制御情報をシグナリングするために用いられ、動的シグナリングとも呼称される。ＤＣＩは、ＰＤＳＣＨのスケジューリングまたはＰＵＳＣＨのスケジューリングなどのために用いられる。ＵＣＩは、ＣＳＩ報告、ＨＡＲＱ−ＡＣＫ報告、および／またはスケジューリング要求（ＳＲ：Scheduling  Request）などのために用いられる。
【０１２３】
＜本実施形態における下りリンク制御情報の詳細＞
ＤＣＩはあらかじめ規定されるフィールドを有するＤＣＩフォーマットを用いて通知される。ＤＣＩフォーマットに規定されるフィールドは、所定の情報ビットがマッピングされる。ＤＣＩは、下りリンクスケジューリング情報、上りリンクスケジューリング情報、サイドリンクスケジューリング情報、非周期的ＣＳＩ報告の要求、または、上りリンク送信電力コマンドを通知する。
【０１２４】
端末装置２がモニタするＤＣＩフォーマットは、サービングセル毎に設定された送信モードによって決まる。すなわち、端末装置２がモニタするＤＣＩフォーマットの一部は、送信モードによって異なることができる。例えば、下りリンク送信モード１が設定された端末装置２は、ＤＣＩフォーマット１ＡとＤＣＩフォーマット１をモニタする。例えば、下りリンク送信モード４が設定された端末装置２は、ＤＣＩフォーマット１ＡとＤＣＩフォーマット２をモニタする。例えば、上りリンク送信モード１が設定された端末装置２は、ＤＣＩフォーマット０をモニタする。例えば、上りリンク送信モード２が設定された端末装置２は、ＤＣＩフォーマット０とＤＣＩフォーマット４をモニタする。
【０１２５】
端末装置２に対するＤＣＩを通知するＰＤＣＣＨが配置される制御領域は通知されず、端末装置２は端末装置２に対するＤＣＩをブラインドデコーディング（ブラインド検出）により検出する。具体的には、端末装置２は、サービングセルにおいて、ＰＤＣＣＨ候補のセットをモニタする。モニタリングは、そのセットの中のＰＤＣＣＨのそれぞれに対して、全てのモニタされるＤＣＩフォーマットによって復号を試みることを意味する。例えば、端末装置２は、端末装置２宛に送信される可能性がある全てのアグリゲーションレベル、ＰＤＣＣＨ候補、および、ＤＣＩフォーマットについてデコードを試みる。端末装置２は、デコード（検出）が成功したＤＣＩ（ＰＤＣＣＨ）を端末装置２に対するＤＣＩ（ＰＤＣＣＨ）として認識する。
【０１２６】
ＤＣＩに対して、巡回冗長検査（ＣＲＣ:  Cyclic  Redundancy  Check）が付加される。ＣＲＣは、ＤＣＩのエラー検出およびＤＣＩのブラインド検出のために用いられる。ＣＲＣ（ＣＲＣパリティビット）は、ＲＮＴＩ（Radio  Network  Temporary  Identifier）によってスクランブルされる。端末装置２は、ＲＮＴＩに基づいて、端末装置２に対するＤＣＩかどうかを検出する。具体的には、端末装置２は、ＣＲＣに対応するビットに対して、所定のＲＮＴＩでデスクランブルを行い、ＣＲＣを抽出し、対応するＤＣＩが正しいかどうかを検出する。
【０１２７】
ＲＮＴＩは、ＤＣＩの目的や用途に応じて規定または設定される。ＲＮＴＩは、Ｃ−ＲＮＴＩ（Cell-RNTI）、ＳＰＳ  Ｃ−ＲＮＴＩ（Semi  Persistent  Scheduling  C-RNTI）、ＳＩ−ＲＮＴＩ（System  Information-RNTI）、Ｐ−ＲＮＴＩ（Paging-RNTI）、ＲＡ−ＲＮＴＩ（Random  Access-RNTI）、ＴＰＣ−ＰＵＣＣＨ−ＲＮＴＩ（Transmit  Power  Control-PUCCH-RNTI）、ＴＰＣ−ＰＵＳＣＨ−ＲＮＴＩ（Transmit  Power  Control-PUSCH-RNTI）、一時的Ｃ−ＲＮＴＩ、Ｍ−ＲＮＴＩ（MBMS  (Multimedia  Broadcast  Multicast  Services)  -RNTI）、および、ｅＩＭＴＡ−ＲＮＴＩ、ＣＣ−ＲＮＴＩを含む。
【０１２８】
Ｃ−ＲＮＴＩおよびＳＰＳ  Ｃ−ＲＮＴＩは、基地局装置１（セル）内において端末装置２に固有のＲＮＴＩであり、端末装置２を識別するための識別子である。Ｃ−ＲＮＴＩは、あるサブフレームにおけるＰＤＳＣＨまたはＰＵＳＣＨをスケジューリングするために用いられる。ＳＰＳ  Ｃ−ＲＮＴＩは、ＰＤＳＣＨまたはＰＵＳＣＨのためのリソースの周期的なスケジューリングをアクティベーションまたはリリースするために用いられる。ＳＩ−ＲＮＴＩでスクランブルされたＣＲＣを有する制御チャネルは、ＳＩＢ（System  Information  Block）をスケジューリングするために用いられる。Ｐ−ＲＮＴＩでスクランブルされたＣＲＣを有する制御チャネルは、ページングを制御するために用いられる。ＲＡ−ＲＮＴＩでスクランブルされたＣＲＣを有する制御チャネルは、ＲＡＣＨに対するレスポンスをスケジューリングするために用いられる。ＴＰＣ−ＰＵＣＣＨ−ＲＮＴＩでスクランブルされたＣＲＣを有する制御チャネルは、ＰＵＣＣＨの電力制御を行うために用いられる。ＴＰＣ−ＰＵＳＣＨ−ＲＮＴＩでスクランブルされたＣＲＣを有する制御チャネルは、ＰＵＳＣＨの電力制御を行うために用いられる。Ｔｅｍｐｏｒａｒｙ  Ｃ−ＲＮＴＩでスクランブルされたＣＲＣを有する制御チャネルは、Ｃ−ＲＮＴＩが設定または認識されていない移動局装置によって用いられる。Ｍ−ＲＮＴＩでスクランブルされたＣＲＣを有する制御チャネルは、ＭＢＭＳをスケジューリングするために用いられる。ｅＩＭＴＡ−ＲＮＴＩでスクランブルされたＣＲＣを有する制御チャネルは、動的ＴＤＤ（ｅＩＭＴＡ）において、ＴＤＤサービングセルのＴＤＤ  ＵＬ／ＤＬ設定に関する情報を通知するために用いられる。ＣＣ−ＲＮＴＩでスクランブルされたＣＲＣを有する制御チャネル（ＤＣＩ）は、ＬＡＡセカンダリーセルにおいて、専有ＯＦＤＭシンボルの設定を通知するために用いられる。なお、上記のＲＮＴＩに限らず、新たなＲＮＴＩによってＤＣＩフォーマットがスクランブルされてもよい。
【０１２９】
スケジューリング情報（下りリンクスケジューリング情報、上りリンクスケジューリング情報、サイドリンクスケジューリング情報）は、周波数領域のスケジューリングとして、リソースブロックまたはリソースブロックグループを単位にスケジューリングを行うための情報を含む。リソースブロックグループは、連続するリソースブロックのセットであり、スケジューリングされる端末装置に対する割り当てられるリソースを示す。リソースブロックグループのサイズは、システム帯域幅に応じて決まる。
【０１３０】
＜本実施形態における下りリンク制御チャネルの詳細＞
ＤＣＩはＰＤＣＣＨまたはＥＰＤＣＣＨなどの制御チャネルを用いて送信される。端末装置２は、ＲＲＣシグナリングによって設定された１つまたは複数のアクティベートされたサービングセルのＰＤＣＣＨ候補のセットおよび／またはＥＰＤＣＣＨ候補のセットをモニタする。ここで、モニタリングとは、全てのモニタされるＤＣＩフォーマットに対応するセット内のＰＤＣＣＨおよび／またはＥＰＤＣＣＨのデコードを試みることである。
【０１３１】
ＰＤＣＣＨ候補のセットまたはＥＰＤＣＣＨ候補のセットは、サーチスペースとも呼称される。サーチスペースには、共有サーチスペース（ＣＳＳ）と端末固有サーチスペース（ＵＳＳ）が定義される。ＣＳＳは、ＰＤＣＣＨに関するサーチスペースのみに対して定義されてもよい。
【０１３２】
ＣＳＳ（Common  Search  Space）は、基地局装置１に固有のパラメータおよび／または予め規定されたパラメータに基づいて設定されるサーチスペースである。例えば、ＣＳＳは、複数の端末装置で共通に用いられるサーチスペースである。そのため、基地局装置１が複数の端末装置で共通の制御チャネルをＣＳＳにマッピングすることにより、制御チャネルを送信するためのリソースが低減される。
【０１３３】
ＵＳＳ（UE-specific  Search  Space）は、少なくとも端末装置２に固有のパラメータを用いて設定されるサーチスペースである。そのため、ＵＳＳは、端末装置２に固有のサーチスペースであり、基地局装置１はＵＳＳによって端末装置２に固有の制御チャネルを個別に送信することができる。そのため、基地局装置１は複数の端末装置に固有の制御チャネルを効率的にマッピングできる。
【０１３４】
ＵＳＳは、複数の端末装置に共通に用いられるように設定されてもよい。複数の端末装置に対して共通のＵＳＳが設定されるために、端末装置２に固有のパラメータは、複数の端末装置の間で同じ値になるように設定される。例えば、複数の端末装置の間で同じパラメータに設定される単位は、セル、送信点、または所定の端末装置のグループなどである。
【０１３５】
アグリゲーションレベル毎のサーチスペースはＰＤＣＣＨ候補のセットによって定義される。ＰＤＣＣＨのそれぞれは、１つ以上のＣＣＥ（Control  Channel  Element）の集合を用いて送信される。１つのＰＤＣＣＨに用いられるＣＣＥの数は、アグリゲーションレベルとも呼称される。例えば、１つのＰＤＣＣＨに用いられるＣＣＥの数は、１、２、４または８である。
【０１３６】
アグリゲーションレベル毎のサーチスペースはＥＰＤＣＣＨ候補のセットによって定義される。ＥＰＤＣＣＨのそれぞれは、１つ以上のＥＣＣＥ（Enhanced  Control  Channel  Element）の集合を用いて送信される。１つのＥＰＤＣＣＨに用いられるＥＣＣＥの数は、アグリゲーションレベルとも呼称される。例えば、１つのＥＰＤＣＣＨに用いられるＥＣＣＥの数は、１、２、４、８、１６または３２である。
【０１３７】
ＰＤＣＣＨ候補の数またはＥＰＤＣＣＨ候補の数は、少なくともサーチスペースおよびアグリゲーションレベルに基づいて決まる。例えば、ＣＳＳにおいて、アグリゲーションレベル４および８におけるＰＤＣＣＨ候補の数はそれぞれ４および２である。例えば、ＵＳＳにおいて、アグリゲーション１、２、４および８におけるＰＤＣＣＨ候補の数はそれぞれ６、６、２および２である。
【０１３８】
それぞれのＥＣＣＥは、複数のＥＲＥＧ（Enhanced  resource  element  group）で構成される。ＥＲＥＧは、ＥＰＤＣＣＨのリソースエレメントに対するマッピングを定義するために用いられる。各ＲＢペアにおいて、０から１５に番号付けされる、１６個のＥＲＥＧが定義される。すなわち、各ＲＢペアにおいて、ＥＲＥＧ０〜ＥＲＥＧ１５が定義される。各ＲＢペアにおいて、ＥＲＥＧ０〜ＥＲＥＧ１５は、所定の信号および／またはチャネルがマッピングされるリソースエレメント以外のリソースエレメントに対して、周波数方向を優先して、周期的に定義される。例えば、アンテナポート１０７〜１１０で送信されるＥＰＤＣＣＨに関連付けられる復調用参照信号がマッピングされるリソースエレメントは、ＥＲＥＧとして定義されない。
【０１３９】
１つのＥＰＤＣＣＨに用いられるＥＣＣＥの数は、ＥＰＤＣＣＨフォーマットに依存し、他のパラメータに基づいて決定される。１つのＥＰＤＣＣＨに用いられるＥＣＣＥの数は、アグリゲーションレベルとも呼称される。例えば、１つのＥＰＤＣＣＨに用いられるＥＣＣＥの数は、１つのＲＢペアにおけるＥＰＤＣＣＨ送信に用いることができるリソースエレメントの数、ＥＰＤＣＣＨの送信方法などに基づいて、決定される。例えば、１つのＥＰＤＣＣＨに用いられるＥＣＣＥの数は、１、２、４、８、１６または３２である。また、１つのＥＣＣＥに用いられるＥＲＥＧの数は、サブフレームの種類およびサイクリックプレフィックスの種類に基づいて決定され、４または８である。ＥＰＤＣＣＨの送信方法として、分散送信（Distributed  transmission）および局所送信（Localized  transmission）がサポートされる。
【０１４０】
ＥＰＤＣＣＨは、分散送信または局所送信を用いることができる。分散送信および局所送信は、ＥＲＥＧおよびＲＢペアに対するＥＣＣＥのマッピングが異なる。例えば、分散送信において、１つのＥＣＣＥは、複数のＲＢペアのＥＲＥＧを用いて構成される。局所送信において、１つのＥＣＣＥは、１つのＲＢペアのＥＲＥＧを用いて構成される。
【０１４１】
基地局装置１は、端末装置２に対して、ＥＰＤＣＣＨに関する設定を行う。端末装置２は、基地局装置１からの設定に基づいて、複数のＥＰＤＣＣＨをモニタリングする。端末装置２がＥＰＤＣＣＨをモニタリングするＲＢペアのセットが、設定されうる。そのＲＢペアのセットは、ＥＰＤＣＣＨセットまたはＥＰＤＣＣＨ−ＰＲＢセットとも呼称される。１つの端末装置２に対して、１つ以上のＥＰＤＣＣＨセットが設定できる。各ＥＰＤＣＣＨセットは、１つ以上のＲＢペアで構成される。また、ＥＰＤＣＣＨに関する設定は、ＥＰＤＣＣＨセット毎に個別に行うことができる。
【０１４２】
基地局装置１は、端末装置２に対して、所定数のＥＰＤＣＣＨセットを設定できる。例えば、２つまでのＥＰＤＣＣＨセットが、ＥＰＤＣＣＨセット０および／またはＥＰＤＣＣＨセット１として、設定できる。ＥＰＤＣＣＨセットのそれぞれは、所定数のＲＢペアで構成できる。各ＥＰＤＣＣＨセットは、複数のＥＣＣＥの１つのセットを構成する。１つのＥＰＤＣＣＨセットに構成されるＥＣＣＥの数は、そのＥＰＤＣＣＨセットとして設定されるＲＢペアの数、および、１つのＥＣＣＥに用いられるＥＲＥＧの数に基づいて、決定される。１つのＥＰＤＣＣＨセットに構成されるＥＣＣＥの数がＮである場合、各ＥＰＤＣＣＨセットは、０〜Ｎ−１で番号付けされたＥＣＣＥを構成する。例えば、１つのＥＣＣＥに用いられるＥＲＥＧの数が４である場合、４つのＲＢペアで構成されるＥＰＤＣＣＨセットは１６個のＥＣＣＥを構成する。
【０１４３】
＜本実施形態におけるＣＡとＤＣの詳細＞
端末装置２は複数のセルが設定され、マルチキャリア送信を行うことができる。端末装置２が複数のセルを用いる通信は、ＣＡ（キャリアアグリゲーション）またはＤＣ（デュアルコネクティビティ）と称される。本実施形態に記載の内容は、端末装置２に対して設定される複数のセルのそれぞれまたは一部に適用できる。端末装置２に設定されるセルを、サービングセルとも称する。
【０１４４】
ＣＡおいて、設定される複数のサービングセルは、１つのプライマリーセル（PCell:  Primary  Cell）と１つ以上のセカンダリーセル（SCell:  Secondary  Cell）とを含む。ＣＡをサポートしている端末装置２に対して、１つのプライマリーセルと１つ以上のセカンダリーセルが設定されうる。
【０１４５】
プライマリーセルは、初期コネクション構築（initial  connection  establishment）手続きが行なわれたサービングセル、コネクション再構築（connection  re-establishment）手続きを開始したサービングセル、または、ハンドオーバ手続きにおいてプライマリーセルと指示されたセルである。プライマリーセルは、プライマリー周波数でオペレーションする。セカンダリーセルは、コネクションの構築または再構築以降に設定されうる。セカンダリーセルは、セカンダリー周波数でオペレーションする。なお、コネクションは、ＲＲＣコネクションとも称される。
【０１４６】
ＤＣは、少なくとも２つの異なるネットワークポイントから提供される無線リソースを所定の端末装置２が消費するオペレーションである。ネットワークポイントは、マスター基地局装置（MeNB:  Master  eNB）とセカンダリー基地局装置（SeNB:  Secondary  eNB）である。デュアルコネクティビティは、端末装置２が、少なくとも２つのネットワークポイントでＲＲＣ接続を行なうことである。デュアルコネクティビティにおいて、２つのネットワークポイントは、非理想的バックホール（non-ideal  backhaul）によって接続されてもよい。
【０１４７】
ＤＣにおいて、少なくともＳ１−ＭＭＥ（Mobility  Management  Entity）に接続され、コアネットワークのモビリティアンカーの役割を果たす基地局装置１をマスター基地局装置と称される。また、端末装置２に対して追加の無線リソースを提供するマスター基地局装置ではない基地局装置１をセカンダリー基地局装置と称される。マスター基地局装置に関連されるサービングセルのグループは、マスターセルグループ（MCG:  Master  Cell  Group）とも呼称される。セカンダリー基地局装置に関連されるサービングセルのグループは、セカンダリーセルグループ（SCG:  Secondary  Cell  Group）とも呼称される。なお、サービングセルのグループを、セルグループ（ＣＧ）と呼称される。
【０１４８】
ＤＣにおいて、プライマリーセルは、ＭＣＧに属する。また、ＳＣＧにおいて、プライマリーセルに相当するセカンダリーセルをプライマリーセカンダリーセル（PSCell:  Primary  Secondary  Cell）と称する。ＰＳＣｅｌｌ（ｐＳＣｅｌｌを構成する基地局装置）には、ＰＣｅｌｌ（ＰＣｅｌｌを構成する基地局装置）と同等の機能（能力、性能）がサポートされてもよい。また、ＰＳＣｅｌｌには、ＰＣｅｌｌの一部の機能だけがサポートされてもよい。例えば、ＰＳＣｅｌｌには、ＣＳＳまたはＵＳＳとは異なるサーチスペースを用いて、ＰＤＣＣＨ送信を行なう機能がサポートされてもよい。また、ＰＳＣｅｌｌは、常にアクティベーションの状態であってもよい。また、ＰＳＣｅｌｌは、ＰＵＣＣＨを受信できるセルである。
【０１４９】
ＤＣにおいて、無線ベアラ（データ無線ベアラ（DRB:  Date  Radio  Bearer）および／またはシグナリング無線ベアラ（SRB:  Signaling  Radio  Bearer））は、ＭｅＮＢとＳｅＮＢで個別に割り当てられてもよい。ＭＣＧ（ＰＣｅｌｌ）とＳＣＧ（ＰＳＣｅｌｌ）に対して、それぞれ個別にデュプレックスモードが設定されてもよい。ＭＣＧ（ＰＣｅｌｌ）とＳＣＧ（ＰＳＣｅｌｌ）は、互いに同期されなくてもよい。すなわち、ＭＣＧのフレーム境界とＳＣＧのフレーム境界が一致しなくてもよい。ＭＣＧ（ＰＣｅｌｌ）とＳＣＧ（ＰＳＣｅｌｌ）に対して、複数のタイミング調整のためのパラメータ（TAG:  Timing  Advance  Group）が独立に設定されてもよい。デュアルコネクティビティにおいて、端末装置２は、ＭＣＧ内のセルに対応するＵＣＩをＭｅＮＢ（ＰＣｅｌｌ）のみで送信し、ＳＣＧ内のセルに対応するＵＣＩをＳｅＮＢ（ｐＳＣｅｌｌ）のみで送信する。それぞれのＵＣＩの送信において、ＰＵＣＣＨおよび／またはＰＵＳＣＨを用いた送信方法はそれぞれのセルグループで適用される。
【０１５０】
ＰＵＣＣＨおよびＰＢＣＨ（ＭＩＢ）は、ＰＣｅｌｌまたはＰＳＣｅｌｌのみで送信される。また、ＰＲＡＣＨは、ＣＧ内のセル間で複数のＴＡＧ（Timing  Advance  Group）が設定されない限り、ＰＣｅｌｌまたはＰＳＣｅｌｌのみで送信される。
【０１５１】
ＰＣｅｌｌまたはＰＳＣｅｌｌでは、ＳＰＳ（Semi-Persistent  Scheduling）やＤＲＸ（Discontinuous  Transmission）を行ってもよい。セカンダリーセルでは、同じセルグループのＰＣｅｌｌまたはＰＳＣｅｌｌと同じＤＲＸを行ってもよい。
セカンダリーセルにおいて、ＭＡＣの設定に関する情報／パラメータは、基本的に、同じセルグループのＰＣｅｌｌまたはＰＳＣｅｌｌと共有している。一部のパラメータは、セカンダリーセル毎に設定されてもよい。一部のタイマーやカウンタが、ＰＣｅｌｌまたはＰＳＣｅｌｌのみに対して適用されてもよい。
【０１５２】
ＣＡにおいて、ＴＤＤ方式が適用されるセルとＦＤＤ方式が適用されるセルが集約されてもよい。ＴＤＤが適用されるセルとＦＤＤが適用されるセルとが集約される場合に、ＴＤＤが適用されるセルおよびＦＤＤが適用されるセルのいずれか一方に対して本開示を適用することができる。
【０１５３】
端末装置２は、端末装置２によってＣＡおよび／またはＤＣがサポートされているバンド組み合わせを示す情報（supportedBandCombination）を、基地局装置１に送信する。端末装置２は、バンド組み合わせのそれぞれに対して、異なる複数のバンドにおける前記複数のサービングセルにおける同時送信および受信をサポートしているかどうかを指示する情報を、基地局装置１に送信する。
【０１５４】
＜本実施形態におけるリソース割り当ての詳細＞
基地局装置１は、端末装置２にＰＤＳＣＨおよび／またはＰＵＳＣＨのリソース割り当ての方法として、複数の方法を用いることができる。リソース割り当ての方法は、動的スケジューリング、セミパーシステントスケジューリング、マルチサブフレームスケジューリング、およびクロスサブフレームスケジューリングを含む。
【０１５５】
動的スケジューリングにおいて、１つのＤＣＩは１つのサブフレームにおけるリソース割り当てを行う。具体的には、あるサブフレームにおけるＰＤＣＣＨまたはＥＰＤＣＣＨは、そのサブフレームにおけるＰＤＳＣＨに対するスケジューリングを行う。あるサブフレームにおけるＰＤＣＣＨまたはＥＰＤＣＣＨは、そのサブフレームより後の所定のサブフレームにおけるＰＵＳＣＨに対するスケジューリングを行う。
【０１５６】
マルチサブフレームスケジューリングにおいて、１つのＤＣＩは１つ以上のサブフレームにおけるリソース割り当てを行う。具体的には、あるサブフレームにおけるＰＤＣＣＨまたはＥＰＤＣＣＨは、そのサブフレームより所定数後の１つ以上のサブフレームにおけるＰＤＳＣＨに対するスケジューリングを行う。あるサブフレームにおけるＰＤＣＣＨまたはＥＰＤＣＣＨは、そのサブフレームより所定数後の１つ以上のサブフレームにおけるＰＵＳＣＨに対するスケジューリングを行う。その所定数はゼロ以上の整数にすることができる。その所定数は、あらかじめ規定されてもよいし、物理層シグナリングおよび／またはＲＲＣシグナリングに基づいて決められてもよい。マルチサブフレームスケジューリングにおいて、連続したサブフレームがスケジューリングされてもよいし、所定の周期を有するサブフレームがスケジューリングされてもよい。スケジューリングされるサブフレームの数は、あらかじめ規定されてもよいし、物理層シグナリングおよび／またはＲＲＣシグナリングに基づいて決められてもよい。
【０１５７】
クロスサブフレームスケジューリングにおいて、１つのＤＣＩは１つのサブフレームにおけるリソース割り当てを行う。具体的には、あるサブフレームにおけるＰＤＣＣＨまたはＥＰＤＣＣＨは、そのサブフレームより所定数後の１つのサブフレームにおけるＰＤＳＣＨに対するスケジューリングを行う。あるサブフレームにおけるＰＤＣＣＨまたはＥＰＤＣＣＨは、そのサブフレームより所定数後の１つのサブフレームにおけるＰＵＳＣＨに対するスケジューリングを行う。その所定数はゼロ以上の整数にすることができる。その所定数は、あらかじめ規定されてもよいし、物理層シグナリングおよび／またはＲＲＣシグナリングに基づいて決められてもよい。クロスサブフレームスケジューリングにおいて、連続したサブフレームがスケジューリングされてもよいし、所定の周期を有するサブフレームがスケジューリングされてもよい。
【０１５８】
セミパーシステントスケジューリング（ＳＰＳ）において、１つのＤＣＩは１つ以上のサブフレームにおけるリソース割り当てを行う。端末装置２は、ＲＲＣシグナリングによってＳＰＳに関する情報が設定され、ＳＰＳを有効にするためのＰＤＣＣＨまたはＥＰＤＣＣＨを検出した場合、ＳＰＳに関する処理を有効にし、ＳＰＳに関する設定に基づいて所定のＰＤＳＣＨおよび／またはＰＵＳＣＨを受信する。端末装置２は、ＳＰＳが有効である時にＳＰＳをリリースするためのＰＤＣＣＨまたはＥＰＤＣＣＨを検出した場合、ＳＰＳをリリース（無効に）し、所定のＰＤＳＣＨおよび／またはＰＵＳＣＨの受信を止める。ＳＰＳのリリースは、所定の条件を満たした場合に基づいて行ってもよい。例えば、所定数の空送信のデータを受信した場合に、ＳＰＳはリリースされる。ＳＰＳをリリースするためのデータの空送信は、ゼロＭＡＣ  ＳＤＵ（Service  Data  Unit）を含むＭＡＣ  ＰＤＵ（Protocol  Data  Unit）に対応する。
【０１５９】
ＲＲＣシグナリングによるＳＰＳに関する情報は、ＳＰＳのＲＮＴＩであるＳＰＳ  Ｃ−ＲＮＴＩ、ＰＤＳＣＨのスケジューリングされる周期（インターバル）に関する情報、ＰＵＳＣＨのスケジューリングされる周期（インターバル）に関する情報、ＳＰＳをリリースするための設定に関する情報、および／または、ＳＰＳにおけるＨＡＲＱプロセスの番号を含む。ＳＰＳは、プライマリーセルおよび／またはプライマリーセカンダリーセルのみにサポートされる。
【０１６０】
＜本実施形態におけるＬＴＥの下りリンクリソースエレメントマッピングの詳細＞
図１０は、本実施形態におけるＬＴＥの下りリンクリソースエレメントマッピングの一例を示す図である。この例では、１つのリソースブロックおよび１つのスロットのＯＦＤＭシンボル数が７である場合において、１つのリソースブロックペアにおけるリソースエレメントの集合が示されている。また、リソースブロックペア内の時間方向に前半の７つのＯＦＤＭシンボルは、スロット０（第１のスロット）とも呼称される。リソースブロックペア内の時間方向に後半の７つのＯＦＤＭシンボルは、スロット１（第２のスロット）とも呼称される。また、各スロット（リソースブロック）におけるＯＦＤＭシンボルのそれぞれは、ＯＦＤＭシンボル番号０〜６で示される。また、リソースブロックペアにおける周波数方向のサブキャリアのそれぞれは、サブキャリア番号０〜１１で示される。なお、システム帯域幅が複数のリソースブロックで構成される場合、サブキャリア番号はそのシステム帯域幅に渡って異なるように割り当てる。例えば、システム帯域幅が６個のリソースブロックで構成される場合、サブキャリア番号０〜７１が割り当てられるサブキャリアが用いられる。なお、本実施形態の説明では、リソースエレメント（ｋ，ｌ）は、サブキャリア番号ｋとＯＦＤＭシンボル番号ｌで示されるリソースエレメントである。
【０１６１】
Ｒ０〜Ｒ３で示されるリソースエレメントは、それぞれアンテナポート０〜３のセル固有参照信号を示す。以下では、アンテナポート０〜３のセル固有参照信号はＣＲＳ（Cell-specific  RS）とも呼称される。この例では、ＣＲＳが４つのアンテナポートの場合であるが、その数を変えることができる。例えば、ＣＲＳは、１つのアンテナポートまたは２つのアンテナポートを用いることができる。また、ＣＲＳは、セルＩＤに基づいて、周波数方向へシフトすることができる。例えば、ＣＲＳは、セルＩＤを６で割った余りに基づいて、周波数方向へシフトすることができる。
【０１６２】
Ｃ１〜Ｃ４で示されるリソースエレメントは、アンテナポート１５〜２２の伝送路状況測定用参照信号（ＣＳＩ−ＲＳ）を示す。Ｃ１〜Ｃ４で示されるリソースエレメントは、それぞれＣＤＭグループ１〜ＣＤＭグループ４のＣＳＩ−ＲＳを示す。ＣＳＩ−ＲＳは、Ｗａｌｓｈ符号を用いた直交系列（直交符号）と、擬似ランダム系列を用いたスクランブル符号とで構成される。また、ＣＳＩ−ＲＳは、ＣＤＭグループ内において、それぞれＷａｌｓｈ符号等の直交符号により符号分割多重される。また、ＣＳＩ−ＲＳは、ＣＤＭグループ間において、互いに周波数分割多重（ＦＤＭ）される。
【０１６３】
アンテナポート１５および１６のＣＳＩ−ＲＳはＣ１にマッピングされる。アンテナポート１７および１８のＣＳＩ−ＲＳはＣ２にマッピングされる。アンテナポート１９および２０のＣＳＩ−ＲＳはＣ３にマッピングされる。アンテナポート２１および２２のＣＳＩ−ＲＳはＣ４にマッピングされる。
【０１６４】
ＣＳＩ−ＲＳのアンテナポート数は複数規定される。ＣＳＩ−ＲＳは、アンテナポート１５〜２２の８つのアンテナポートに対応する参照信号として設定されることができる。また、ＣＳＩ−ＲＳは、アンテナポート１５〜１８の４つのアンテナポートに対応する参照信号として設定されることができる。また、ＣＳＩ−ＲＳは、アンテナポート１５〜１６の２つのアンテナポートに対応する参照信号として設定されることができる。また、ＣＳＩ−ＲＳは、アンテナポート１５の１つのアンテナポートに対応する参照信号として設定されることができる。ＣＳＩ−ＲＳは、一部のサブフレームにマッピングされることができ、例えば、複数のサブフレーム毎にマッピングされることができる。ＣＳＩ−ＲＳのリソースエレメントに対するマッピングパターンは複数規定される。また、基地局装置１は、端末装置２に対して、複数のＣＳＩ−ＲＳを設定することができる。
【０１６５】
ＣＳＩ−ＲＳは、送信電力をゼロにすることができる。送信電力がゼロのＣＳＩ−ＲＳは、ゼロパワーＣＳＩ−ＲＳとも呼称される。ゼロパワーＣＳＩ−ＲＳは、アンテナポート１５〜２２のＣＳＩ−ＲＳとは独立に設定される。なお、アンテナポート１５〜２２のＣＳＩ−ＲＳは、非ゼロパワーＣＳＩ−ＲＳとも呼称される。
【０１６６】
基地局装置１は、ＲＲＣシグナリングを通じて、端末装置２に対して固有の制御情報として、ＣＳＩ−ＲＳを設定する。端末装置２は、基地局装置１によりＲＲＣシグナリングを通じて、ＣＳＩ−ＲＳが設定される。また、端末装置２は、干渉電力を測定するためのリソースであるＣＳＩ−ＩＭリソースが設定されることができる。端末装置２は、基地局装置１からの設定に基づいて、ＣＲＳ、ＣＳＩ−ＲＳおよび／またはＣＳＩ−ＩＭリソースを用いて、フィードバック情報を生成する。
【０１６７】
Ｄ１〜Ｄ２で示されるリソースエレメントは、それぞれＣＤＭグループ１〜ＣＤＭグループ２のＤＬ−ＤＭＲＳを示す。ＤＬ−ＤＭＲＳは、Ｗａｌｓｈ符号を用いた直交系列（直交符号）と、擬似ランダム系列によるスクランブル系列とを用いて構成される。また、ＤＬ−ＤＭＲＳは、アンテナポート毎に独立であり、それぞれのリソースブロックペア内で多重できる。ＤＬ−ＤＭＲＳは、ＣＤＭおよび／またはＦＤＭにより、アンテナポート間で互いに直交関係にある。ＤＬ−ＤＭＲＳは、ＣＤＭグループ内において、それぞれ直交符号によりＣＤＭされる。ＤＬ−ＤＭＲＳは、ＣＤＭグループ間において、互いにＦＤＭされる。同じＣＤＭグループにおけるＤＬ−ＤＭＲＳは、それぞれ同じリソースエレメントにマッピングされる。同じＣＤＭグループにおけるＤＬ−ＤＭＲＳは、アンテナポート間でそれぞれ異なる直交系列が用いられ、それらの直交系列は互いに直交関係にある。ＰＤＳＣＨ用のＤＬ−ＤＭＲＳは、８つのアンテナポート（アンテナポート７〜１４）の一部または全部を用いることができる。つまり、ＤＬ−ＤＭＲＳに関連付けられるＰＤＳＣＨは、最大８ランクまでのＭＩＭＯ送信ができる。ＥＰＤＣＣＨ用のＤＬ−ＤＭＲＳは、４つのアンテナポート（アンテナポート１０７〜１１０）の一部または全部を用いることができる。また、ＤＬ−ＤＭＲＳは、関連付けられるチャネルのランク数に応じて、ＣＤＭの拡散符号長やマッピングされるリソースエレメントの数を変えることができる。
【０１６８】
アンテナポート７、８、１１および１３で送信するＰＤＳＣＨ用のＤＬ−ＤＭＲＳは、Ｄ１で示されるリソースエレメントにマッピングされる。アンテナポート９、１０、１２および１４で送信するＰＤＳＣＨ用のＤＬ−ＤＭＲＳは、Ｄ２で示されるリソースエレメントにマッピングされる。また、アンテナポート１０７および１０８で送信するＥＰＤＣＣＨ用のＤＬ−ＤＭＲＳは、Ｄ１で示されるリソースエレメントにマッピングされる。アンテナポート１０９および１１０で送信するＥＰＤＣＣＨ用のＤＬ−ＤＭＲＳは、Ｄ２で示されるリソースエレメントにマッピングされる。
【０１６９】
＜本実施形態におけるＮＲの下りリンクリソースエレメントマッピングの詳細＞
図１１は、本実施形態におけるＮＲの下りリンクリソースエレメントマッピングの一例を示す図である。図１１は、パラメータセット０が用いられる場合に、所定のリソースにおけるリソースエレメントの集合を示す。図１１に示される所定のリソースは、ＬＴＥにおける１つのリソースブロックペアと同じ時間長および周波数帯域幅から成るリソースである。
【０１７０】
ＮＲにおいて、所定のリソースは、ＮＲ−ＲＢ（ＮＲリソースブロック）とも呼称される。所定のリソースは、ＮＲ−ＰＤＳＣＨまたはＮＲ−ＰＤＣＣＨの割り当ての単位、所定のチャネルまたは所定の信号のリソースエレメントに対するマッピングの定義を行う単位、または、パラメータセットが設定される単位などに用いることができる。
【０１７１】
図１１の例では、所定のリソースは、時間方向においてＯＦＤＭシンボル番号０〜１３で示される１４個のＯＦＤＭシンボル、および、周波数方向においてサブキャリア番号０〜１１で示される１２個のサブキャリアで構成される。システム帯域幅が複数の所定のリソースで構成される場合、サブキャリア番号はそのシステム帯域幅に渡って割り当てる。
【０１７２】
Ｃ１〜Ｃ４で示されるリソースエレメントは、アンテナポート１５〜２２の伝送路状況測定用参照信号（ＣＳＩ−ＲＳ）を示す。Ｄ１〜Ｄ２で示されるリソースエレメントは、それぞれＣＤＭグループ１〜ＣＤＭグループ２のＤＬ−ＤＭＲＳを示す。
【０１７３】
図１２は、本実施形態におけるＮＲの下りリンクリソースエレメントマッピングの一例を示す図である。図１２は、パラメータセット１が用いられる場合に、所定のリソースにおけるリソースエレメントの集合を示す。図１２に示される所定のリソースは、ＬＴＥにおける１つのリソースブロックペアと同じ時間長および周波数帯域幅から成るリソースである。
【０１７４】
図１２の例では、所定のリソースは、時間方向においてＯＦＤＭシンボル番号０〜６で示される７個のＯＦＤＭシンボル、および、周波数方向においてサブキャリア番号０〜２３で示される２４個のサブキャリアで構成される。システム帯域幅が複数の所定のリソースで構成される場合、サブキャリア番号はそのシステム帯域幅に渡って割り当てる。
【０１７５】
Ｃ１〜Ｃ４で示されるリソースエレメントは、アンテナポート１５〜２２の伝送路状況測定用参照信号（ＣＳＩ−ＲＳ）を示す。Ｄ１〜Ｄ２で示されるリソースエレメントは、それぞれＣＤＭグループ１〜ＣＤＭグループ２のＤＬ−ＤＭＲＳを示す。
【０１７６】
図１３は、本実施形態におけるＮＲの下りリンクリソースエレメントマッピングの一例を示す図である。図１３は、パラメータセット１が用いられる場合に、所定のリソースにおけるリソースエレメントの集合を示す。図１３に示される所定のリソースは、ＬＴＥにおける１つのリソースブロックペアと同じ時間長および周波数帯域幅から成るリソースである。
【０１７７】
図１３の例では、所定のリソースは、時間方向においてＯＦＤＭシンボル番号０〜２７で示される２８個のＯＦＤＭシンボル、および、周波数方向においてサブキャリア番号０〜６で示される６個のサブキャリアで構成される。システム帯域幅が複数の所定のリソースで構成される場合、サブキャリア番号はそのシステム帯域幅に渡って割り当てる。
【０１７８】
Ｃ１〜Ｃ４で示されるリソースエレメントは、アンテナポート１５〜２２の伝送路状況測定用参照信号（ＣＳＩ−ＲＳ）を示す。Ｄ１〜Ｄ２で示されるリソースエレメントは、それぞれＣＤＭグループ１〜ＣＤＭグループ２のＤＬ−ＤＭＲＳを示す。
【０１７９】
＜デュアルコネクティビティの上りリンク送信電力制御＞
端末装置２に複数のセルグループが設定される場合、端末装置２は、ＤＣ電力制御モード１またはＤＣ電力制御モード２を用いて、上りリンク物理チャネルおよび／または上りリンク物理信号の送信電力制御を行う。端末装置２は、送信予定の上りリンク物理チャネルおよび／または上りリンク物理信号が要求する送信電力の合計が最大上りリンク送信電力を超えない場合は、その送信電力で送ることができる。一方で、その送信電力の合計が最大上りリンク送信電力を超えた場合は、ＤＣ電力制御モード１またはＤＣ電力制御モード２のいずれかで定められた規定に基づいて送信電力をスケールする、または、所定の上りリンク物理チャネルおよび／または上りリンク物理信号の送信を止める。
【０１８０】
ＤＣ電力制御モード１は、端末装置２が同期ＤＣをサポートしている場合、かつ上位層からＤＣ電力制御モード１が設定された場合に、端末装置２に設定される。ＤＣ電力制御モード１は、マスター基地局装置とセカンダリー基地局装置の間のネットワークが同期されている状態を想定しており、異なるセルグループに所属するサービングセル間の最大上りリンクタイミングの差異が所定値以下であった場合に、動作される。すなわち、ＭＣＧのサブフレーム境界とＳＣＧのサブフレーム境界が一致している状態を前提に動作される。
【０１８１】
ＤＣ電力制御モード１では、端末装置２は、その上りリンク物理チャネルの種類、またはその上りリンク物理チャネルで送信される情報の内容に基づいて優先付けを行い、送信電力を分配する。また、端末装置２は、ＣＧ間で優先順位が同じであった場合には、ＭＣＧに優先して電力を分配する。
【０１８２】
ＤＣ電力制御モード１における電力分配の優先順位および電力分配の一例を示す。端末装置２は、ＰＲＡＣＨ、ＨＡＲＱ−ＡＣＫおよび／またはＳＲを含むＵＣＩを伴うＰＵＣＣＨまたはＰＵＳＣＨ、ＨＡＲＱ−ＡＣＫもＳＲも含まないＵＣＩを伴うＰＵＣＣＨまたはＰＵＳＣＨ、ＵＣＩを伴わないＰＵＳＣＨ、ＳＲＳの順番に送信電力を調整して、割り当てる。さらに、２つのＣＧで同じ上りリンク物理チャネルを有する場合は、ＭＣＧがＳＣＧよりも優先されて送信電力が調整され、割り当てられる。送信電力の調整には、下記の式（１）が用いられる。
【０１８３】
【数１】
2017195483.tif 000003
【０１８４】
具体的には、各上りリンク物理チャネルおよびＳＲＳの送信電力は、数式（１）のS(i1)を超えない状況を満たすように、調整される。ここで、数式（１）のi1は第一のＣＧのサブフレーム番号、i2は第二のＣＧのサブフレーム番号、PCMAX(i1,i2)はサブフレームi1とサブフレームi2が重なる期間の最大上りリンク送信電力、Pu(i1)は既に割り当てられたＣＧ１の上りリンク物理チャネルの送信電力の合計、Pq(i2)は既に割り当てられたＣＧ２の上りリンク物理チャネルおよび／またはＳＲＳの送信電力の合計、P’q(i2)はまだ送信電力が割り当てられていないＣＧ２の上りリンク物理チャネルおよび／またはＳＲＳが要求する送信電力の合計、γCG2は上位層から指示されるＣＧ２の上りリンク送信に最低限確保される保障電力の割合、である。
【０１８５】
ＤＣ電力制御モード２は、端末装置２が非同期ＤＣをサポートしている場合、かつ上位層からＤＣ電力制御モード１が設定されない場合に、端末装置２に設定される。ＤＣ電力制御モード２は、マスター基地局装置とセカンダリー基地局装置の間のネットワークが同期されていない状態でも動作可能である。すなわち、ＭＣＧのサブフレーム境界とＳＣＧのサブフレーム境界が一致していない状態を前提に動作される。
【０１８６】
ＤＣ電力制御モード２では、端末装置２は、異なるセルグループに対する保障電力を最低限確保しながら、余剰電力を先に発生した上りリンク物理チャネルおよび／または上りリンク物理信号に分配する。
【０１８７】
ＤＣ電力制御モード２における電力分配の一例を示す。ＣＧ１のサブフレームi1がＣＧ２のサブフレームi2-1とサブフレームi2とに重なる場合、端末装置２は、下記の数式（２）で決定されるPCG1(i1)を上限として、ＣＧ１に割り当てられる送信電力を決定する。
【０１８８】
【数２】
2017195483.tif 000004
【０１８９】
具体的には、サブフレームi1で発生するＰＵＣＣＨ、ＰＵＳＣＨ、および／またはＳＲＳが要求する電力の合計がPCG1(i1)を超えた場合、そのPCG1(i1)を超えない状況を満たすように、それぞれの上りリンク物理チャネルおよび／または上りリンク物理信号の送信電力をスケールする。ここで、数式（２）のPq(i1)はＣＧ１の上りリンク物理チャネルおよび／またはＳＲＳが要求する送信電力の合計、PCMAX(i1,i2-1)はサブフレームi1とサブフレームi2-1が重なる期間の最大上りリンク送信電力、PPRACH_CG1(i1)はＣＧ１のサブフレームi1のＰＲＡＣＨの送信電力、PPRACH_CG2(i2-1)はＣＧ２のサブフレームi2-1のＰＲＡＣＨの送信電力、PPRACH_CG2(i2)はＣＧ２のサブフレームi2のＰＲＡＣＨの送信電力、PCG2(i2-1)はＣＧ２のサブフレームi2-1で発生したＰＵＣＣＨ、ＰＵＳＣＨ、および／またはＳＲＳの送信電力の上限値、γCG2は上位層から指示されるＣＧ２の上りリンク送信に最低限確保される保障電力の割合、である。
【０１９０】
＜本実施形態におけるＮＲのフレーム構成＞
ＮＲでは、物理チャネルおよび／または物理信号を自己完結型送信（self-contained  transmission）によって送信することができる。図１４に、本実施形態における自己完結型送信のフレーム構成の一例を示す。自己完結型送信では、１つの送受信は、先頭から連続する下りリンク送信、ＧＰ、および連続する下りリンク送信の順番で構成される。連続する下りリンク送信には、少なくとも１つの下りリンク制御情報およびＤＭＲＳが含まれる。その下りリンク制御情報は、その連続する下りリンク送信に含まれる下りリンク物理チャネルの受信、またはその連続する上りリンク送信に含まれる上りリンク物理チャネルの送信を指示する。その下りリンク制御情報が下りリンク物理チャネルの受信を指示した場合、端末装置２は、その下りリンク制御情報に基づいてその下りリンク物理チャネルの受信を試みる。そして、端末装置２は、その下りリンク物理チャネルの受信成否（デコード成否）を、ＧＰ後に割り当てられる上りリンク送信に含まれる上りリンク制御チャネルによって送信する。一方で、その下りリンク制御情報が上りリンク物理チャネルの送信を指示した場合、その下りリンク制御情報に基づいて送信される上りリンク物理チャネルを上りリンク送信に含めて送信を行う。このように、下りリンク制御情報によって、上りリンクデータの送信と下りリンクデータの送信を柔軟に切り替えることで、上りリンクと下りリンクのトラヒック比率の増減に即座に対応することができる。また、下りリンクの受信成否を直後の上りリンク送信で通知することで、下りリンクの低遅延通信を実現することができる。
【０１９１】
単位スロット時間は、下りリンク送信、ＧＰ、または上りリンク送信を定義する最小の時間単位である。単位スロット時間は、下りリンク送信、ＧＰ、または上りリンク送信のいずれかのために予約される。単位スロット時間の中に、下りリンク送信と上りリンク送信の両方は含まれない。単位スロット時間は、その単位スロット時間に含まれるＤＭＲＳと関連付けられるチャネルの最小送信時間としてもよい。１つの単位スロット時間は、例えば、ＮＲのサンプリング間隔（Ts）またはシンボル長の整数倍で定義される。
【０１９２】
単位フレーム時間は、スケジューリングで指定される最小時間であってもよい。単位フレーム時間は、トランスポートブロックが送信される最小単位であってもよい。単位スロット時間は、その単位スロット時間に含まれるＤＭＲＳと関連付けられるチャネルの最大送信時間としてもよい。単位フレーム時間は、端末装置２において上りリンク送信電力を決定する単位時間であってもよい。単位フレーム時間は、サブフレームと称されてもよい。単位フレーム時間には、下りリンク送信のみ、上りリンク送信のみ、上りリンク送信と下りリンク送信の組み合わせの３種類のタイプが存在する。１つの単位フレーム時間は、例えば、ＮＲのサンプリング間隔（Ts）、シンボル長、または単位スロット時間の整数倍で定義される。
【０１９３】
送受信時間は、１つの送受信の時間である。１つの送受信と他の送受信との間は、どの物理チャネルおよび物理信号も送信されない時間（ギャップ）で占められる。端末装置２は、異なる送受信間でＣＳＩ測定を平均してはいけない。送受信時間は、ＴＴＩと称されてもよい。１つの送受信時間は、例えば、ＮＲのサンプリング間隔（Ts）、シンボル長、単位スロット時間、または単位フレーム時間の整数倍で定義される。
【０１９４】
＜パラメータセットの切り替え＞
本実施形態では、基地局装置１及び端末装置２は、通信に利用するパラメータセットを切り替えながら、通信を行うことが可能である。
【０１９５】
（パラメータセット切り替えが必要と考えられる理由）
複数の定義されたパラメータセットの使用方法として、想定されたユースケースに応じてパラメータセットを使い分ける方法が一例として考えられる。例えば、前述のユースケースを想定した場合、ｅＭＢＢには第１のパラメータセットを、ｍＭＴＣには第２のパラメータセットを、そしてＵＲＬＬＣには第３のパラメータセットを適用する、といったことが考えられる。さらに、ＮＲではこれらのユースケース以外のユースケースにも対応できることが求められており、他のユースケースにもそれぞれ異なるパラメータセットを適用することが考えられる。
【０１９６】
従って、ＮＲでは、今後新たにパラメータセットが追加された場合も運用可能である、前方互換性（Ｆｏｒｗａｒｄ  Ｃｏｍｐａｔｉｂｉｌｉｔｙ）を備えたフレームワークが導入されることが望ましい。さらには、端末装置２の状況又は通信環境に応じて、パラメータセットを柔軟に切り替え可能であることが望ましい。例えば、ｍＭＴＣ対応の端末装置２が増加した場合に、他のユースケースに対応するパラメータセットが割り当てられていたリソースを、ｍＭＴＣのユースケースに対応するパラメータセットに切り替えて提供することが望ましい。もちろん、ユースケースはｍＭＴＣに限定されない。また、各ユースケースにおいて、複数のパラメータセットが適用候補になることも考えられる。その場合、複数のパラメータセットの中から適切なパラメータセットに適宜切り替えられながら適用されることが望ましい。
【０１９７】
以上説明したように、適用するパラメータセットを切り替える機能は、ＮＲに求められる様々なユースケースに対応するために望ましいと考えられる。
【０１９８】
（パラメータセットの切り替えの詳細）
基地局装置１は、通信に利用されるサブキャリア間隔及びシンボル長を可変に設定する。そして、基地局装置１は、サブキャリア間隔及びシンボル長を示すパラメータセットを設定内容に応じて切り替えるための情報を通知する。かかる情報を、以下では切り替え関連情報とも称する。切り替え関連情報の通知により、後述するようにパラメータセットの切り替えを実現することが可能となる。他方、端末装置２は、サブキャリア間隔及びシンボル長が可変に設定されたリソースを、サブキャリア間隔及びシンボル長を示すパラメータセットを設定内容に応じて切り替えるために通知された情報（即ち、切り替え関連情報）に基づいて受信する。端末装置２は、切り替え関連情報を参照することで、パラメータセットが切り替えられた場合であっても自身への信号を復号することが可能となる。
【０１９９】
切り替え方法は、静的な切り替え方法、準静的な切り替え方法、及び動的な切り替え方法が考えられる。
【０２００】
静的な切り替え方法は、所定期間内で同一のパラメータセットが設定され、所定期間ごとに設定されるパラメータセットの切り替えが許容される替え方法である。例えば、コネクション構築時又は再構築時などの際に、パラメータセットが設定される。この場合のリソースとパラメータセットとの関係は、図６及び図７に示した通りである。受信装置は、スケジューリングされたリソースを設定されたパラメータセットに従って信号を受信することができる。
【０２０１】
準静的な切り替え方法及び動的な切り替え方法は、適応的なパラメータセットの切り替えが許容される切り替え方法である。なお、準静的とは、パラメータセットとパラメータセットが適用されるリソースとの対応付け（以下、パラメータセットマッピングとも称する）が予め定められていることを指す。また、動的とは、パラメータセットマッピングが予め定められていないことを指す。これらの場合のリソースとパラメータセットとの関係の一例を、図１５に示す。
【０２０２】
図１５は、本実施形態におけるパラメータセットの切り替えの一例を示す図である。図１５に示した例では、パラメータセット０がマッピングされたリソースのうち、サブキャリア位置（例えば、サブキャリア番号）とシンボル位置（例えば、シンボル番号）とで特定される一部のリソースに、パラメータセット１又はパラメータセット２がマッピングされている。受信装置は、これらのリソースにおいて自身への信号が送信される場合、パラメータセット０からパラメータセット１へ又はパラメータセット２への切り替えを行って信号を受信する。
【０２０３】
以下、準静的な切り替え方法及び動的な切り替え方法について、順に詳しく説明する。なお、以下では送信装置が基地局装置１であり、受信装置が端末装置２である、ダウンリンク通信を想定して説明する。
【０２０４】
（準静的な切り替え方法）
基地局装置１は、各々の端末装置２に割り当てるパラメータセットを準静的に切り替えつつ、信号を送信する。その場合、基地局装置１は、準静的な切り替えを行うための切り替え関連情報を生成して、端末装置２に通知する。
【０２０５】
例えば、切り替え関連情報は、パラメータセットとパラメータセットが適用されるリソースとを対応付ける情報を含んでいてもよい。この情報を、以下ではマッピング情報とも称する。
【０２０６】
例えば、切り替え関連情報は、通信相手の端末装置２との通信に利用されるリソースを示す情報を含んでいてもよい。この情報を、以下ではリソース割り当て情報とも称する。
【０２０７】
端末装置２は、リソース割り当て情報により、自身への信号に利用されるリソースを対象とした受信信号処理を行うことが可能となる。また、端末装置２は、マッピング情報により、自身への信号に利用されるリソースに設定されるパラメータセットを知得することが可能となる。これにより、端末装置２は、設定されたパラメータセットを用いて自身への信号を受信することが可能となる。
【０２０８】
また、切り替え関連情報は、切り替え実施有無を示す情報を含んでいてもよい。これにより、パラメータセットの切り替えを実施するか否かを切り替えることが可能となる。なお、切り替え実施有無を示す情報は、切り替えを実施する場合及び実施しない場合との両方において通知されてもよいし、いずれか一方である場合にのみ通知されてもよい。切り替えが実施されることを示す情報のみ通知される方法は、切り替えがレアケースである場合に有用である。切り替えが実施されないことを示す情報のみ通知される方法は、切り替えがデフォルトで行われる場合に有用である。
【０２０９】
具体的な切り替え方法は、多様に考えられる。
【０２１０】
第１の例は、サブキャリア番号を用いてリソースの割り当てが行われる場合の切り替え方法の一例である。第２の例は、シンボル番号を用いてリソースの割り当てが行われる場合の切り替え方法の一例である。第３の例は、サブフレーム番号を用いてリソースの割り当てが行われる場合の切り替え方法の一例である。第４の例は、システムフレーム番号を用いてリソースの割り当てが行われる場合の切り替え方法の一例である。
【０２１１】
以下、各々の例に関して詳しく説明する。なお、以下では、パラメータセットの準静的な切り替えが行われる範囲は、パラメータセット０が設定されるリソースであるものとして説明する。
【０２１２】
・第１の例
図１６は、本実施形態における準静的な切り替え方法の第１の例を説明するための図である。図１６に示すように、所定のパラメータセットが設定されたリソースの一部の周波数リソースにおいて、パラメータセットの切り替えが行われている。ここでの切り替え対象の周波数リソースは、サブキャリアである。詳しくは、パラメータセット０が設定されたリソースのうち、第１０および第１１サブキャリアにパラメータセット１が設定され、第０および第１サブキャリアにパラメータセット２が設定されている。図１６に示すように、パラメータセットの切り替えは、パラメータセット０におけるサブキャリアを対象として行われてもよく、換言すると、パラメータセット０におけるサブキャリアを単位として行われてもよい。
【０２１３】
基地局装置１は、パラメータセット０が設定されたリソースのうち、第１０及び第１１サブキャリアにパラメータセット１が設定されること、並びに第０及び第１サブキャリアにパラメータセット２が設定されることを、マッピング情報として端末装置２に通知する。次に、基地局装置１は、リソース割り当て情報を端末装置２に通知する。そして、端末装置２は、マッピング情報及びリソース割り当て情報に基づいて、設定されたパラメータセットを用いて信号を受信する。例えば、端末装置２にスケジューリングされたリソースがサブキャリア番号第１０及び／又は第１１であった場合、端末装置２は、パラメータセット１での復号を試みる。また、端末装置２にスケジューリングされたリソースがサブキャリア番号第０及び／又は第１であった場合、端末装置２は、パラメータセット２での復号を試みる。一方、端末装置２にスケジューリングされたリソースがサブキャリア番号第２〜第９のいずれかであった場合、端末装置２はパラメータセット０での復号を試みる。
【０２１４】
ここで、パラメータセットの切り替えを実施するか否かが、動的に切り替えられてもよい。
【０２１５】
切り替え実施有無を示す情報として、切り替えが実施されることを示す情報が基地局装置１から端末装置２へ通知された場合、端末装置２は、パラメータセットの切り替えを行い信号を受信する。例えば、図１６に示した例においては、端末装置２は、パラメータセット１を用いて第１０及び第１１サブキャリアを受信し、パラメータセット２を用いて第０および第１サブキャリアを受信し、パラメータセット０を用いて第２〜第９サブキャリアを受信する。
【０２１６】
一方、切り替え実施有無を示す情報として、切り替えが実施されないことを示す情報が基地局装置１から端末装置２へ通知された場合、端末装置２は、パラメータセットの切り替えを行わずに信号を受信する。例えば、図１６に示した例においては、端末装置２は、パラメータセット０を用いて第０〜第１１サブキャリアを受信する。
【０２１７】
以上、第１の例について詳細に説明した。第１の例は、サブキャリア単位での切り替えが行われるため、第３及び第４の例と比較して切り替えに柔軟性がある。また、第１の例は、時間方向のブランクがないため、低遅延が求められるユースケースに有効である。
【０２１８】
・第２の例
図１７は、本実施形態における準静的な切り替え方法の第２の例を説明するための図である。図１７に示すように、所定のパラメータセットが設定されたリソースのうち一部の時間リソースにおいて、パラメータセットの切り替えが行われている。ここでの切り替え対象の時間リソースは、シンボルである。詳しくは、パラメータセット０が設定されたリソースのうち、第５、６、１２、１３シンボルにパラメータセット１が設定され、第４、１１シンボルにパラメータセット２が設定されている。図１７に示すように、パラメータセットの切り替えは、パラメータセット０におけるシンボルを対象として行われてもよく、換言すると、パラメータセット０におけるシンボルを単位として行われてもよい。
【０２１９】
基地局装置１は、パラメータセット０が設定されたリソースのうち、第５、６、１２、１３シンボルにパラメータセット１が設定されること、並びに第４、１１シンボルにパラメータセット２が設定されることを、マッピング情報として端末装置２に通知する。次に、基地局装置１は、リソース割り当て情報を端末装置２に通知する。そして、端末装置２は、マッピング情報及びリソース割り当て情報に基づいて、設定されたパラメータセットを用いて信号を受信する。例えば、端末装置２にスケジューリングされたリソースがシンボル番号第５、６、１２、１３のいずれかであった場合、端末装置２は、パラメータセット１での復号を試みる。または、端末装置２にスケジューリングされたリソースがシンボル番号第４、１１のいずれかであった場合、端末装置２は、パラメータセット２での復号を試みる。一方、端末装置２にスケジューリングされたリソースがシンボル番号第０〜３、７〜１０のいずれかであった場合、端末装置２は、パラメータセット０での復号を試みる。
【０２２０】
ここで、パラメータセットの切り替えを実施するか否かが、動的に切り替えられてもよい。
【０２２１】
切り替え実施有無を示す情報として、切り替えが実施されることを示す情報が基地局装置１から端末装置２へ通知された場合、端末装置２は、パラメータセットの切り替えを行い信号を受信する。例えば、図１７に示した例においては、端末装置２は、パラメータセット１を用いて第５、６、１２、１３シンボルを受信し、パラメータセット２を用いて第４、１１シンボルを受信し、パラメータセット０を用いて第０〜３、７〜１０シンボルを受信する。
【０２２２】
一方、切り替え実施有無を示す情報として、切り替えが実施されないことを示す情報が基地局装置１から端末装置２へ通知された場合、端末装置２は、パラメータセットの切り替えを行わずに信号を受信する。例えば、図１７に示した例においては、端末装置２は、パラメータセット０を用いて第０〜１３シンボルを受信する。
【０２２３】
以上、第２の例について詳細に説明した。第２の例は、シンボル単位での切り替えが行われるため、第３及び第４の例と比較して切り替えに柔軟性がある。また、第２の例は、周波数方向のブランクがないため、大多数通信のユースケースに有効である。
【０２２４】
・第３の例
図１８は、本実施形態における準静的な切り替え方法の第３の例を説明するための図である。図１８に示すように、所定のパラメータセットが設定されたリソースのうち一部の時間リソースにおいて、パラメータセットの切り替えが行われている。ここでの切り替え対象の時間リソースは、サブフレームである。詳しくは、パラメータセット０が設定されたリソースのうち、第１サブフレームにパラメータセット１が設定され、第２サブフレームにパラメータセット２が設定されている。図１８に示すように、パラメータセットの切り替えは、パラメータセット０におけるサブフレームを対象として行われてもよく、換言すると、パラメータセット０におけるサブフレームを単位として行われてもよい。
【０２２５】
基地局装置１は、パラメータセット０が設定されたリソースのうち、第１サブフレームにパラメータセット１が設定されること、並びに第２サブフレームにパラメータセット２が設定されることを、マッピング情報として端末装置２に通知する。次に、基地局装置１は、リソース割り当て情報を端末装置２に通知する。そして、端末装置２は、マッピング情報及びリソース割り当て情報に基づいて、設定されたパラメータセットを用いて信号を受信する。例えば、端末装置２にスケジューリングされたリソースがサブフレーム番号第１であった場合、端末装置２は、パラメータセット１での復号を試みる。または、端末装置２にスケジューリングされたリソースがサブフレーム番号２であった場合、端末装置２は、パラメータセット２での復号を試みる。一方、端末装置２にスケジューリングされたリソースがサブフレーム番号０であった場合、端末装置２は、パラメータセット０での復号を試みる。
【０２２６】
ここで、パラメータセットの切り替えを実施するか否かが、動的に切り替えられてもよい。
【０２２７】
切り替え実施有無を示す情報として、切り替えが実施されることを示す情報が基地局装置１から端末装置２へ通知された場合、端末装置２は、パラメータセットの切り替えを行い信号を受信する。例えば、図１８に示した例においては、端末装置２は、パラメータセット１を用いて第１サブフレームを受信し、パラメータセット２を用いて第２サブフレームを受信し、パラメータセット０を用いて第０サブフレームを受信する。
【０２２８】
一方、切り替え実施有無を示す情報として、切り替えが実施されないことを示す情報が基地局装置１から端末装置２へ通知された場合、端末装置２は、パラメータセットの切り替えを行わずに信号を受信する。例えば、図１８に示した例においては、端末装置２は、パラメータセット０を用いて第０〜２サブフレームを受信する。
【０２２９】
以上、第３の例について詳細に説明した。第３の例は、サブフレーム単位での切り替えが行われるため、第１の例及び第２の例のようにサブキャリア番号又はシンボル番号を考慮する必要がない。従って、第３の例は、第１の例及び第２の例と比較してシンプルな切り替えが可能であり、制御情報量の抑制が期待される。
【０２３０】
・第４の例
図１９は、本実施形態における準静的な切り替え方法の第４の例を説明するための図である。図１９に示すように、所定のパラメータセットが設定されたリソースのうち一部の時間リソースにおいて、パラメータセットの切り替えが行われている。ここでの切り替え対象の時間リソースは、システムフレームである。詳しくは、パラメータセット０が設定されたリソースのうち、第１システムフレームにパラメータセット１が設定され、第２システムフレームにパラメータセット２が設定されている。図１８に示すように、パラメータセットの切り替えは、パラメータセット０におけるシステムフレームを対象として行われてもよく、換言すると、パラメータセット０におけるシステムフレームを単位として行われてもよい。
【０２３１】
なお、図１９に示した例では、システムフレームが第０〜９サブフレームの１０個のサブフレームから成るものとしているが、本技術はかかる例に限定されない。システムフレームは、任意の個数のサブフレームから成り得る。
【０２３２】
基地局装置１は、パラメータセット０が設定されたリソースのうち、第１システムフレームにパラメータセット１が設定されること、並びに第２システムフレームにパラメータセット２が設定されることを、マッピング情報として端末装置２に通知する。次に、基地局装置１は、リソース割り当て情報を端末装置２に通知する。そして、端末装置２は、マッピング情報及びリソース割り当て情報に基づいて、設定されたパラメータセットを用いて信号を受信する。例えば、端末装置２にスケジューリングされたリソースがシステムフレーム番号第１であった場合、端末装置２は、パラメータセット１での復号を試みる。または、端末装置２にスケジューリングされたリソースがシステムフレーム番号２であった場合、端末装置２は、パラメータセット２での復号を試みる。一方、端末装置２にスケジューリングされたリソースがシステムフレーム番号０であった場合、端末装置２は、パラメータセット０での復号を試みる。
【０２３３】
ここで、パラメータセットの切り替えを実施するか否かが、動的に切り替えられてもよい。
【０２３４】
切り替え実施有無を示す情報として、切り替えが実施されることを示す情報が基地局装置１から端末装置２へ通知された場合、端末装置２は、パラメータセットの切り替えを行い信号を受信する。例えば、図１９に示した例においては、端末装置２は、パラメータセット１を用いて第１システムフレームを受信し、パラメータセット２を用いて第２システムフレームを受信し、パラメータセット０を用いて第０システムフレームを受信する。
【０２３５】
一方、切り替え実施有無を示す情報として、切り替えが実施されないことを示す情報が基地局装置１から端末装置２へ通知された場合、端末装置２は、パラメータセットの切り替えを行わずに信号を受信する。例えば、図１９に示した例においては、端末装置２は、パラメータセット０を用いて第０〜２システムフレームを受信する。
【０２３６】
以上、第４の例について詳細に説明した。第４の例は、システムフレーム単位での切り替えが行われるため、第１の例及び第２の例のようにサブキャリア番号又はシンボル番号を考慮する必要がない。さらに、第４の例は、第３の例と比較して切り替えの時間間隔が長い。従って、第３の例は、第１の例、第２の例及び第３の例と比較してシンプルな切り替えが可能であり、制御情報量の抑制が期待される。第４の例は、切り替えを行う頻度の低いユースケースに有効である。
【０２３７】
なお、上述した第１〜第４の例は、適宜組み合わせることが可能である。例えば、第１の例と第２の例とを組み合わせると、図１５に示したようなサブキャリア番号とシンボル番号とで特定されるリソースにおいてパラメータの切り替えが行われる。
【０２３８】
・パラメータセットマッピングの切り替え
切り替え関連情報は、パラメータセットと前記パラメータセットが設定されるリソースとの対応付けの切り替えを示す情報を含み得る。この場合、パラメータセットマッピングの動的な切り替えが可能となる。
【０２３９】
例えば、切り替え候補のパラメータセットマッピングごとに識別情報が割り振られる。この識別情報を、以下ではパラメータセットマッピングインデックスとも称する。そして、基地局装置１は、パラメータセットマッピングを切り替える場合に、切り替え先のパラメータセットマッピングインデックスを示す情報を、マッピング情報として端末装置２に通知する。なお、切り替え候補が２つに限定される場合、ここでのマッピング情報は、一方のパラメータセットマッピングから他方への切り替えの実施有無を示す情報であってもよい。
【０２４０】
図２０は、本実施形態に係るパラメータセットマッピングの切り替えの一例を説明するための図である。図２０に示した例では、パラメータセットマッピングインデックス＃０では、準静的なパラメータの切り替えが行われる範囲においてパラメータセット０のみが設定される。一方、パラメータセットマッピングインデックス＃１及び＃２では、準静的なパラメータの切り替えが行われる範囲の一部にパラメータセット０が設定され、他の一部にパラメータセット１又は２が設定される。また、パラメータセットマッピングインデックス＃３では、準静的なパラメータの切り替えが行われる範囲の全部にパラメータセット１又は２が設定される。
【０２４１】
なお、図２０では、準静的なパラメータの切り替えが行われる範囲が固定される例を示したが、本技術はかかる例に限定されない。例えば、準静的なパラメータの切り替えが行われる範囲そのものが可変であってもよい。
【０２４２】
以下、図２１を参照して、切り替え処理の流れの一例を説明する。
【０２４３】
図２１は、本実施形態に係る通信システムにおいて実行される準静的なパラメータセットの切り替え処理の流れの一例を示すシーケンス図である。本シーケンスには、基地局装置１及び端末装置２が関与する。
【０２４４】
図２１に示すように、まず、端末装置２は、コネクション要求、及び端末装置２が復号可能なパラメータセットを示す情報を、例えばＲＲＣシグナリング等を用いて基地局装置１に通知する（ステップＳ１０２）。ここでは、端末装置２は、パラメータセット０およびパラメータセット１の復号に対応しているものとする。次いで、基地局装置１は、コネクションの確立を行い、パラメータセットのマッピング情報を、例えばＲＲＣシグナリング等を用いて端末装置２に通知する（ステップＳ１０４）。ここで、マッピング情報には、例えば複数の切り替え候補のパラメータセットマッピングとパラメータセットマッピングインデックスとの対応付け、及びパラメータセットマッピングインデックスの初期設定を示す情報が含まれる。次に、基地局装置１は、端末装置２への信号に用いるリソースとして、パラメータセット０が設定されるリソースを割り当てる（ステップＳ１０６）。次いで、基地局装置１は、リソース割り当て情報を、例えばＤＣＩ等を用いて端末装置２に通知する（ステップＳ１０８）。この後、基地局装置１は、パラメータセット０を設定したリソースにおいて、端末装置２への信号を送信する。次に、端末装置２は、マッピング情報及びリソース割り当て情報に基づいて、パラメータセット０が設定されたリソースを用いて自身への信号が送信されることを判断して、パラメータセット０での復号を試みる（ステップＳ１１０）。
【０２４５】
ここで、端末装置２は、他のパラメータセットでの送信を要求してもよい。その場合の処理の流れの一例を、以下で説明する。
【０２４６】
例えば、端末装置２は、パラメータセット１での送信を要求するメッセージを、基地局装置１に通知する（ステップＳ１１２）。次に、基地局装置１は、パラメータセット１での送信を行うか否かを判断し、行う場合に、端末装置２への信号に用いるリソースとして、パラメータセット１が設定されるリソースを割り当てる（ステップＳ１１４）。なお、基地局装置１は、本シーケンスに示したような端末装置２からのメッセージを判断基準のひとつとしてもよいし、他の情報（例えば、リソース不足、通信負荷又はユーザ数等）を判断基準のひとつとしてもよい。次いで、基地局装置１は、リソース割り当て情報を、例えばＤＣＩ等を用いて端末装置２に通知する（ステップＳ１１６）。この後、基地局装置１は、パラメータセット１を設定したリソースにおいて、端末装置２への信号を送信する。次に、端末装置２は、マッピング情報及びリソース割り当て情報に基づいて、パラメータセット１が設定されたリソースを用いて自身への信号が送信されることを判断して、パラメータセット１での復号を試みる（ステップＳ１１８）。
【０２４７】
ここで、基地局装置１は、パラメータセットマッピングの動的な切り替えを行ってもよい。その際、基地局装置１は、端末装置２からのメッセージを判断基準のひとつとしてもよいし、他の情報（例えば、リソース不足、通信負荷又はユーザ数等）を判断基準のひとつとしてもよい。
【０２４８】
例えば、基地局装置１は、パラメータセット１が設定されたリソースが不足していることを判断する（ステップＳ１２０）。すると、基地局装置１は、パラメータセットマッピングを、よりパラメータセット１が設定されるリソースが多いものに切り替えて、パラメータセット１が設定されたリソースを確保する（ステップＳ１２２）。このような切り替えにより、パラメータセット間のリソース負荷を調整することが可能となる。次いで、基地局装置１は、切り替え後のマッピング情報（例えば、切り替え後のパラメータセットマッピングインデックス又はパラメータセットマッピングの切り替えを実施することを示す情報）を端末装置２に通知する（ステップＳ１２４）。次に、端末装置２は、新たに受信したマッピング情報に基づき、以降の復号を切り替え後のパラメータセットマッピングに従って行う（ステップＳ１２６）。
【０２４９】
以上、準静的な切り替え方法について説明した。
【０２５０】
（動的な切り替え方法）
基地局装置１は、各々の端末装置２に割り当てるパラメータセットを動的に切り替えつつ、信号を送信する。その場合、基地局装置１は、動的な切り替えを行うための切り替え関連情報を生成して、端末装置２に通知する。
【０２５１】
例えば、切り替え関連情報は、切り替え候補の複数のパラメータセットを示す情報を含んでいてもよい。例えば、この情報は、パラメータセットそのものを示す情報と識別情報との対応付けを複数含み得る。この識別情報を、以下ではパラメータセットインデックスとも称する。例えば、パラメータセットインデックス０がパラメータセット０に対応付けられ、パラメータセットインデックス１がパラメータセット１に対応付けられる。切り替え候補の複数のパラメータセットを示す情報が予め通知されることで、パラメータセットインデックスの指定により切り替えを実施することが可能となる。
【０２５２】
例えば、切り替え関連情報は、切り替え先のパラメータセットを示す情報を含んでいてもよい。切り替え先のパラメータセットを示す情報は、切り替え先のパラメータセットそのもの（即ち、サブキャリア間隔及びシンボル長の設定）を示す情報であってもよい。その場合、切り替え候補のパラメータセットが予め決められていない場合であっても、動的な切り替えが可能となる。また、切り替え先のパラメータセットを示す情報は、切り替え先のパラメータセットインデックスを示す情報であってもよい。その場合、基地局装置１は、パラメータセットそのものを示す情報が通知する場合と比較して、切り替え実施のための制御情報の量を削減することが可能となる。
【０２５３】
例えば、切り替え関連情報は、切り替え実施有無を示す情報を含んでいてもよい。この情報は、切り替え候補のパラメータセットの数が２つに限定される場合に通知される。この場合、切り替え実施有無を示す情報により、一方のパラメータセットから他方への切り替えの実施又は不実施が指示される。
【０２５４】
具体的な切り替え方法は、多様に考えられる。以下、２つの例に関して詳しく説明する。
【０２５５】
・第１の例
基地局装置１は、まず、切り替え関連情報として、予め切り替え候補の複数のパラメータセットを示す情報を端末装置２に通知する。そして、基地局装置１は、切り替え実施の際に、切り替え関連情報として、切り替え先のパラメータセットインデックスを示す情報を通知する。端末装置２は、受信したこれらの情報に基づいて、自身向けの信号に用いられたパラメータセットを判断し、復号を試みる。
【０２５６】
以下、図２２を参照して、第１の例における処理の流れの一例を説明する。
【０２５７】
図２２は、本実施形態に係る通信システムにおいて実行される動的なパラメータセットの切り替え処理の流れの一例を示すシーケンス図である。本シーケンスには、基地局装置１及び端末装置２が関与する。
【０２５８】
図２２に示すように、まず、端末装置２は、コネクション要求、及び端末装置２が復号可能なパラメータセットを示す情報を、例えばＲＲＣシグナリング等を用いて基地局装置１に通知する（ステップＳ２０２）。ここでは、端末装置２は、パラメータセット０およびパラメータセット１の復号に対応しているものとする。次いで、基地局装置１は、コネクションの確立を行い、切り替え候補の複数のパラメータセットを示す情報を、例えばＲＲＣシグナリング等を用いて端末装置２に通知する（ステップＳ２０４）。ここでは、切り替え候補は、パラメータセット０及びパラメータセット１を含むものとする。次に、基地局装置１は、端末装置２への信号に用いるリソースを割り当て、当該リソースに用いるパラメータセットを設定する（ステップＳ２０６）。ここでは、パラメータセット０が設定されたものとする。すると、基地局装置１は、リソース割り当て情報及びパラメータセット０を示すパラメータセットインデックスを、例えばＤＣＩ等を用いて通知する（ステップＳ２０８）。この後、基地局装置１は、割り当てたリソースにおいて、パラメータセット０を用いて端末装置２への信号を送信する。次に、端末装置２は、リソース割り当て情報、並びに切り替え候補の複数のパラメータセットを示す情報及びパラメータセットインデックスに基づいて、割り当てられたリソースのパラメータセット０での復号を試みる（ステップＳ２１０）。
【０２５９】
ここで、基地局装置１は、パラメータセットの切り替えを行ってもよい。その際、基地局装置１は、端末装置２からのメッセージを判断基準のひとつとしてもよいし、他の情報（例えば、リソース不足、通信負荷又はユーザ数等）を判断基準のひとつとしてもよい。
【０２６０】
例えば、端末装置２は、パラメータセット１での送信を要求するメッセージを、基地局装置１に通知する（ステップＳ２１２）。次に、基地局装置１は、パラメータセット１での送信を行うか否かを判断し、行う場合に、改めてリソースを割り当て、当該リソースにパラメータセット１を設定する（ステップＳ２１４）。次いで、基地局装置１は、リソース割り当て情報、及びパラメータセット１を示すパラメータセットインデックスを、例えばＤＣＩ等を用いて端末装置２に通知する（ステップＳ２１６）。この後、基地局装置１は、割り当てたリソースにおいて、パラメータセット１を用いて端末装置２への信号を送信する。次に、端末装置２は、リソース割り当て情報、並びに切り替え候補の複数のパラメータセットを示す情報及びパラメータセットインデックスに基づいて、割り当てられたリソースのパラメータセット１での復号を試みる（ステップＳ２１８）。
【０２６１】
・第２の例
第２の方法は、切り替え候補のパラメータセットの数が２つに限定される例である。詳しくは、基地局装置１は、まず、予め切り替え候補の２つのパラメータセットを示す情報を端末装置２に通知する。そして、基地局装置１は、切り替え実施有無を示す情報を通知する。端末装置２は、受信したこれらの情報に基づいて、自身向けの信号に用いられたパラメータセットを判断し、復号を試みる。
【０２６２】
以下、図２３を参照して、第１の例における処理の流れの一例を説明する。
【０２６３】
図２３は、本実施形態に係る通信システムにおいて実行される動的なパラメータセットの切り替え処理の流れの一例を示すシーケンス図である。本シーケンスには、基地局装置１及び端末装置２が関与する。
【０２６４】
図２３に示すように、まず、端末装置２は、コネクション要求、及び端末装置２が復号可能なパラメータセットを示す情報を、例えばＲＲＣシグナリング等を用いて基地局装置１に通知する（ステップＳ３０２）。ここでは、端末装置２は、パラメータセット０およびパラメータセット１の復号に対応しているものとする。次いで、基地局装置１は、コネクションの確立を行い、切り替え候補の２つのパラメータセットを示す情報、及びデフォルトのパラメータセットを示す情報を、例えばＲＲＣシグナリング等を用いて端末装置２に通知する（ステップＳ３０４）。ここでは、切り替え候補は、パラメータセット０及びパラメータセット１を含むものとし、デフォルトはパラメータセット０であるものとする。次に、基地局装置１は、端末装置２への信号に用いるリソースを割り当て、当該リソースにデフォルトのパラメータセット０を設定する（ステップＳ３０６）。すると、基地局装置１は、リソース割り当て情報を、例えばＤＣＩ等を用いて通知する（ステップＳ３０８）。この後、基地局装置１は、割り当てたリソースにおいて、デフォルトのパラメータセット０を用いて端末装置２への信号を送信する。次に、端末装置２は、リソース割り当て情報、割り当てられたリソースのデフォルトのパラメータセット０での復号を試みる（ステップＳ３１０）。
【０２６５】
ここで、基地局装置１は、パラメータセットの切り替えを行ってもよい。その際、基地局装置１は、端末装置２からのメッセージを判断基準のひとつとしてもよいし、他の情報（例えば、リソース不足、通信負荷又はユーザ数等）を判断基準のひとつとしてもよい。
【０２６６】
例えば、端末装置２は、パラメータセット１での送信を要求するメッセージを、基地局装置１に通知する（ステップＳ３１２）。次に、基地局装置１は、パラメータセット１での送信を行うか否かを判断し、行う場合に、改めてリソースを割り当て、当該リソースにパラメータセット１を設定する（ステップＳ３１４）。次いで、基地局装置１は、リソース割り当て情報、及びパラメータセットの切り替え実施を示す情報を、例えばＤＣＩ等を用いて端末装置２に通知する（ステップＳ３１６）。この後、基地局装置１は、割り当てたリソースにおいて、切り替え後のパラメータセット１を用いて端末装置２への信号を送信する。次に、端末装置２は、リソース割り当て情報、並びに切り替え候補の２つのパラメータセットを示す情報及びパラメータセットの切り替え実施を示す情報に基づいて、割り当てられたリソースのパラメータセット１での復号を試みる（ステップＳ３１８）。
【０２６７】
上記以降、基地局装置１は、切り替え後のパラメータセット１を用いた送信を継続し、端末装置２は切り替え後のパラメータセット１を用いて受信を継続する。例えば、基地局装置１は、改めてリソースを割り当て（ステップＳ３２０）、リソース割り当て情報を端末装置２に通知する（ステップＳ３２２）。一方、端末装置２は、リソース割り当て情報に基づいて、割り当てられたリソースのパラメータセット１での復号を試みる（ステップＳ３２４）。
【０２６８】
ここで、基地局装置１は、パラメータセットの切り替えを解消してもよい。その際、基地局装置１は、端末装置２からのメッセージを判断基準のひとつとしてもよいし、他の情報（例えば、リソース不足、通信負荷又はユーザ数等）を判断基準のひとつとしてもよい。
【０２６９】
例えば、基地局装置１は、パラメータセット０での送信を行うか否かを判断し、行う場合に、改めてリソースを割り当て、当該リソースにデフォルトのパラメータセット０を設定する（ステップＳ３２６）。次いで、基地局装置１は、リソース割り当て情報、及びパラメータセットの切り替え不実施を示す情報を、例えばＤＣＩ等を用いて端末装置２に通知する（ステップＳ３２８）。この後、基地局装置１は、割り当てたリソースにおいて、デフォルトのパラメータセット０を用いて端末装置２への信号を送信する。次に、端末装置２は、リソース割り当て情報、及びパラメータセットの切り替え不実施を示す情報に基づいて、割り当てられたリソースのデフォルトのパラメータセット０での復号を試みる（ステップＳ３３０）。
【０２７０】
以上、動的な切り替え方法について説明した。
【０２７１】
（切り替え関連情報の補足）
切り替え関連情報に含まれる情報の一例を、下記の表１に示した。表１に示すように、切り替え関連情報は、パラメータセット切り替えフラグ、パラメータセットマッピングインデックス、及びパラメータセットインデックスを含み得る。なお、切り替え関連情報は、これらの情報のうち不要な又はすでに通知済みの情報が省略されて通知されてもよい。
【０２７２】
【表１】
2017195483.tif 000005
【０２７３】
パラメータセット切り替えフラグの実際のビット列の例を、下記の表２に示した。パラメータセット切り替えフラグは、切り替え実施有無を示す情報に相当し、ビット列「０」は切り替え不実施（Switch  Disable）を示し、ビット列「１」は切り替え実施（Switch  Enable）を示す。
【０２７４】
【表２】
2017195483.tif 000006
【０２７５】
パラメータセットマッピングインデックスの実際のビット列の例を、下記の表３に示した。例えば、ビット列「００」はパラメータセットマッピングインデックス０を示し、ビット列「０１」はパラメータセットマッピングインデックス１を示し、ビット列「１０」はパラメータセットマッピングインデックス２を示し、ビット列「１１」はパラメータセットマッピングインデックス３を示す。
【０２７６】
【表３】
2017195483.tif 000007
【０２７７】
パラメータセットインデックスの実際のビット列の例を、下記の表４に示した。例えば、ビット列「００」はパラメータセットインデックス０を示し、ビット列「０１」はパラメータセットインデックス１を示し、ビット列「１０」はパラメータセットインデックス２を示し、ビット列「１１」はパラメータセットインデックス３を示す。
【０２７８】
【表４】
2017195483.tif 000008
【０２７９】
なお、切り替え関連情報は、上記以外にも、切り替えのタイミングを示す情報を含んでいてもよい。この場合、基地局装置１は、切り替え関連情報を通知してから実際に切り替えるまでの期間を、任意の制御することが可能となる。
【０２８０】
（切り替え関連情報の通知手段）
切り替え関連情報は、多様な手段を用いて送信され得る。例えば、切り替え関連情報は、ＤＣＩに含まれて送信され得る。また、切り替え関連情報は、ＲＲＣシグナリングに含まれて送信され得る。また、切り替え関連情報は、システム情報に含まれて送信され得る。これらの手段は、通知のタイミング及び／又は間隔等に応じて、柔軟に選択可能である。
【０２８１】
また、基地局装置１は、切り替え関連情報を明示的に送信してもよい。この場合、切り替え関連情報は、上記表１に示した情報を含み得る。
【０２８２】
他方、基地局装置１は、切り替え関連情報を暗示的に送信してもよい。例えば、基地局装置１は、切り替え関連情報を符号化法に対応付けて暗示的に送信し得る。具体的には、基地局装置１は、通信相手の端末装置２の固有の識別情報（例えば、ＲＮＴＩ）に対応する複数の識別情報のうち、切り替え関連情報に応じた識別情報を用いた符号化を行う。暗示的な送信方法は、切り替え関連情報がそのままの状態で送信されないので、明示的な送信と比較して制御情報の量を削減することが可能となる。
【０２８３】
符号化の対象及び符号化法は任意である。以下では、図２４を参照して、一例としてＤＣＩが切り替え関連情報に対応付けられたＣＲＣにより符号化される例を説明する。この場合、端末装置２は、ＤＣＩのＣＲＣに基づいて、当該ＤＣＩによりスケジューリングされるチャネルのパラメータセットを認識することが可能となる。
【０２８４】
図２４は、本実施形態における切り替え関連情報の暗示的な送信方法を説明するための図である。ここでは、切り替え関連情報の一例として、パラメータセットインデックスが暗示的に送信される例を説明する。
【０２８５】
図２４に示すように、まず、基地局装置１は、通信相手の端末装置２のＲＮＴＩ（ＵＥ  ＲＮＴＩに相当）とパラメータセットインデックスのビット列とのＸＯＲ計算を行う。これにより、パラメータセットインデックスごとに異なるＲＮＴＩが計算されることとなり、その結果、複数のパラメータセットインデックスに対応する複数のＲＮＴＩが計算される。次いで、基地局装置１は、上記ＸＯＲ計算後のＲＮＴＩと、ＤＣＩのペイロードから計算されたＣＲＣとのＸＯＲ計算を行い、その計算結果をＤＣＩのＣＲＣとする。
【０２８６】
本ＤＣＩを受信した端末装置２は、ＤＣＩの復号後にＣＲＣが正しいか否かのチェックを実施する。その際、端末装置２は、図２４を参照して上記説明した２回のＸＯＲ計算を、用いられ得るすべてのパラメータセットインデックスに関して行い、ＣＲＣチェックを実施する。例えば、端末装置２は、まず、パラメータセット０に対応するパラメータセットインデックス「００」を用いた２回のＸＯＲ計算を行いＣＲＣチェックを実施する。端末装置２は、ＣＲＣが正しいと判断した場合、パラメータセット０を用いて復号を行う。一方で、端末装置２は、ＣＲＣが不正と判断した場合、パラメータセット１に対応するパラメータセットインデックス「０１」を用いた２回のＸＯＲ計算を行いＣＲＣチェックを実施する。このような処理を逐次的に行うことで、端末装置２は、暗示的に送信されたパラメータセットを認識することが可能となる。
【０２８７】
（パラメータセット間のスケジューリング）
パラメータセットの切り替えは、パラメータセット間のスケジューリングとして取り扱われてもよい。
【０２８８】
例えば、基地局装置１は、端末装置２に対するスケジューリングにおいて、あるパラメータセットの制御チャネルを用いて、そのパラメータセットとは異なるパラメータセットの共有チャネルをスケジューリングすることができる。その場合、端末装置２は、基地局装置１からの制御情報（例えば、ＲＲＣによるシグナリング、ＭＡＣによるシグナリング、及びＤＣＩによるシグナリング等）に含まれるスケジューリング情報から、所定のリソースに設定されるパラメータセットを認識することができる。
【０２８９】
また、パラメータセット間のスケジューリングにおいて、一部のパラメータセットに制限が課されてもよい。例えば、パラメータセット０の制御チャネルは、パラメータセット２に対するスケジューリングは可能であるが、パラメータセット１に対するスケジューリングはできない、といった制限が課され得る。また、基地局装置１は、通信相手の端末装置２のケイパビリティに応じて、パラメータセットごとの切り替え可否を制限してもよい。具体的には、基地局装置１は、狭帯域用の端末装置２に関しては、広帯域用のパラメータセットへの切り替えを制限する。このような制限により、リソースの有効活用が実現可能となる。
【０２９０】
（パラメータセットの認識）
端末装置２は、パラメータセットの切り替えを必ずしも認識しなくてもよい。パラメータセットが切り替えられた場合であっても、端末装置２は、所定のリソースに設定されるパラメータセットを、検出したＤＣＩに含まれるスケジューリング情報に基づいて認識可能なためである。
【０２９１】
例えば、端末装置２は、ＲＲＣシグナリングによる設定などに基づいて、所定のパラメータセットにおけるＮＲ−ＰＤＣＣＨをモニタリングする。端末装置２は、モニタリングによって検出されたＮＲ−ＰＤＣＣＨに含まれるＤＣＩがパラメータセット０が設定されるＮＲ−ＰＤＳＣＨのスケジューリングを含む場合、当該ＮＲ−ＰＤＳＣＨがマッピングされるリソースにパラメータセット０が設定されることを認識する。
【０２９２】
また、端末装置２は、当該ＮＲ−ＰＤＳＣＨがマッピングされるリソース以外のリソースにパラメータセット０が用いられるか否かの認識は不要である。当該ＮＲ−ＰＤＳＣＨがマッピングされるリソース以外のリソースは、他の端末装置２に対するチャネルをマッピングするために用いられ得るためである。即ち、基地局装置１が複数のパラメータセットを動的に切り替えて用いる場合であっても、各々の端末装置２は、自身のパラメータセットを認識すればよく、他の端末装置２のパラメータセットを認識しなくてもよい。
【０２９３】
端末装置２は、複数のパラメータセットが設定されたＮＲ−ＰＤＣＣＨをモニタリングする場合であっても、パラメータセットの切り替えを必ずしも認識しなくてもよい。端末装置２は、所定のリソースに設定されるパラメータセットを、モニタリングによって検出したＤＣＩに含まれるスケジューリング情報に基づいて認識可能なためである。
【０２９４】
例えば、端末装置２が、パラメータセット０が設定されるＮＲ−ＰＤＣＣＨとパラメータセット１が設定されるＮＲ−ＰＤＣＣＨとのモニタリングを行う場合を想定する。例えば、パラメータセット０が設定されたＮＲ−ＰＤＣＣＨによってスケジューリングされるＮＲ−ＰＤＳＣＨのリソースに、パラメータセット０が用いられるものとする。端末装置２は、モニタリング結果に基づいて、当該ＮＲ−ＰＤＳＣＨがマッピングされるリソースにパラメータセット０が設定されることを認識する。他方、パラメータセット１が設定されたＮＲ−ＰＤＣＣＨによってスケジューリングされるＮＲ−ＰＤＳＣＨのリソースに、パラメータセット１が用いられるものとする。端末装置２は、モニタリング結果に基づいて、当該ＮＲ−ＰＤＳＣＨがマッピングされるリソースにパラメータセット１が設定されることを認識する。
【０２９５】
＜応用例＞
本開示に係る技術は、様々な製品へ応用可能である。例えば、基地局装置１は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局装置１は、ＮｏｄｅＢ又はＢＴＳ（Base  Transceiver  Station）などの他の種類の基地局として実現されてもよい。基地局装置１は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局装置１として動作してもよい。
【０２９６】
また、例えば、端末装置２は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２は、Ｍ２Ｍ（Machine  To  Machine）通信を行う端末（ＭＴＣ（Machine  Type  Communication）端末ともいう）として実現されてもよい。さらに、端末装置２は、これら端末に搭載される無線通信モジュール（例えば、１つのダイで構成される集積回路モジュール）であってもよい。
【０２９７】
（基地局に関する応用例）
（第１の応用例）
図２５は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２９８】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２５に示したように複数のアンテナ８１０を有し、複数のアンテナ８１０は、例えばｅＮＢ８００が使用する複数の周波数帯域にそれぞれ対応してもよい。なお、図２５にはｅＮＢ８００が複数のアンテナ８１０を有する例を示したが、ｅＮＢ８００は単一のアンテナ８１０を有してもよい。
【０２９９】
基地局装置８２０は、コントローラ８２１、メモリ８２２、ネットワークインタフェース８２３及び無線通信インタフェース８２５を備える。
【０３００】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０３０１】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０３０２】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０３０３】
無線通信インタフェース８２５は、図２５に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２５に示したように複数のＲＦ回路８２７を含み、複数のＲＦ回路８２７は、例えば複数のアンテナ素子にそれぞれ対応してもよい。なお、図２５には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０３０４】
図２５に示したｅＮＢ８００において、図８を参照して説明した基地局装置１に含まれる１つ以上の構成要素（上位層処理部１０１及び／又は制御部１０３）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３０５】
また、図２５に示したｅＮＢ８００において、図８を参照して説明した受信部１０５及び送信部１０７は、無線通信インタフェース８２５（例えば、ＲＦ回路８２７）において実装されてもよい。また、送受信アンテナ１０９は、アンテナ８１０において実装されてもよい。また、上位層処理部１０１と上位ノード又は他の基地局装置とのインタフェースは、コントローラ８２１及び／又はネットワークインタフェース８２３において実装されてもよい。
【０３０６】
（第２の応用例）
図２６は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０３０７】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２６に示したように複数のアンテナ８４０を有し、複数のアンテナ８４０は、例えばｅＮＢ８３０が使用する複数の周波数帯域にそれぞれ対応してもよい。なお、図２６にはｅＮＢ８３０が複数のアンテナ８４０を有する例を示したが、ｅＮＢ８３０は単一のアンテナ８４０を有してもよい。
【０３０８】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２５を参照して説明したコントローラ８２１、メモリ８２２及びネットワークインタフェース８２３と同様のものである。
【０３０９】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２５を参照して説明したＢＢプロセッサ８２６と同様のものである。無線通信インタフェース８５５は、図２６に示したように複数のＢＢプロセッサ８５６を含み、複数のＢＢプロセッサ８５６は、例えばｅＮＢ８３０が使用する複数の周波数帯域にそれぞれ対応してもよい。なお、図２６には無線通信インタフェース８５５が複数のＢＢプロセッサ８５６を含む例を示したが、無線通信インタフェース８５５は単一のＢＢプロセッサ８５６を含んでもよい。
【０３１０】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０３１１】
また、ＲＲＨ８６０は、接続インタフェース８６１及び無線通信インタフェース８６３を備える。
【０３１２】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０３１３】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２６に示したように複数のＲＦ回路８６４を含み、複数のＲＦ回路８６４は、例えば複数のアンテナ素子にそれぞれ対応してもよい。なお、図２６には無線通信インタフェース８６３が複数のＲＦ回路８６４を含む例を示したが、無線通信インタフェース８６３は単一のＲＦ回路８６４を含んでもよい。
【０３１４】
図２６に示したｅＮＢ８３０において、図８を参照して説明した基地局装置１に含まれる１つ以上の構成要素（上位層処理部１０１及び／又は制御部１０３）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３１５】
また、図２６に示したｅＮＢ８３０において、例えば、図８を参照して説明した受信部１０５及び送信部１０７は、無線通信インタフェース８６３（例えば、ＲＦ回路８６４）において実装されてもよい。また、送受信アンテナ１０９は、アンテナ８４０において実装されてもよい。また、上位層処理部１０１と上位ノード又は他の基地局装置とのインタフェースは、コントローラ８５１及び／又はネットワークインタフェース８５３において実装されてもよい。
【０３１６】
（端末装置に関する応用例）
（第１の応用例）
図２７は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０３１７】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０３１８】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０３１９】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２７に示したように複数のＢＢプロセッサ９１３及び複数のＲＦ回路９１４を含んでもよい。なお、図２７には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０３２０】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０３２１】
アンテナスイッチ９１５の各々は、無線通信インタフェース９１２に含まれる複数の回路（例えば、異なる無線通信方式のための回路）の間でアンテナ９１６の接続先を切り替える。
【０３２２】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２７に示したように複数のアンテナ９１６を有してもよい。なお、図２７にはスマートフォン９００が複数のアンテナ９１６を有する例を示したが、スマートフォン９００は単一のアンテナ９１６を有してもよい。
【０３２３】
さらに、スマートフォン９００は、無線通信方式ごとにアンテナ９１６を備えてもよい。その場合に、アンテナスイッチ９１５は、スマートフォン９００の構成から省略されてもよい。
【０３２４】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２７に示したスマートフォン９００の各ブロックへ電力を供給する。補助コントローラ９１９は、例えば、スリープモードにおいて、スマートフォン９００の必要最低限の機能を動作させる。
【０３２５】
図２７に示したスマートフォン９００において、図９を参照して説明した端末装置２に含まれる１つ以上の構成要素（上位層処理部２０１及び／又は制御部２０３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３２６】
また、図２７に示したスマートフォン９００において、例えば、図９を参照して説明した受信部２０５及び送信部２０７は、無線通信インタフェース９１２（例えば、ＲＦ回路９１４）において実装されてもよい。また、送受信アンテナ２０９は、アンテナ９１６において実装されてもよい。
【０３２７】
（第２の応用例）
図２８は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０３２８】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０３２９】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０３３０】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０３３１】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２８に示したように複数のＢＢプロセッサ９３４及び複数のＲＦ回路９３５を含んでもよい。なお、図２８には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０３３２】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０３３３】
アンテナスイッチ９３６の各々は、無線通信インタフェース９３３に含まれる複数の回路（例えば、異なる無線通信方式のための回路）の間でアンテナ９３７の接続先を切り替える。
【０３３４】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２８に示したように複数のアンテナ９３７を有してもよい。なお、図２８にはカーナビゲーション装置９２０が複数のアンテナ９３７を有する例を示したが、カーナビゲーション装置９２０は単一のアンテナ９３７を有してもよい。
【０３３５】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０３３６】
バッテリー９３８は、図中に破線で部分的に示した給電ラインを介して、図２８に示したカーナビゲーション装置９２０の各ブロックへ電力を供給する。また、バッテリー９３８は、車両側から給電される電力を蓄積する。
【０３３７】
図２８に示したカーナビゲーション装置９２０において、図９を参照して説明した端末装置２に含まれる１つ以上の構成要素（上位層処理部２０１及び／又は制御部２０３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３３８】
また、図２８に示したカーナビゲーション装置９２０において、例えば、図９を参照して説明した受信部２０５及び送信部２０７は、無線通信インタフェース９３３（例えば、ＲＦ回路９３５）において実装されてもよい。また、送受信アンテナ２０９は、アンテナ９３７において実装されてもよい。
【０３３９】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０３４０】
＜まとめ＞
以上、図１〜図２８を参照して、本開示の一実施形態について詳細に説明した。上記説明したように、本実施形態に係る基地局装置１は、通信に利用されるサブキャリア間隔及びシンボル長を可変に設定し、サブキャリア間隔及びシンボル長を示すパラメータセットを設定内容に応じて切り替えるための切り替え関連情報を通知する。切り替え関連情報が通知されることにより、端末装置２は、自身への信号の送信に利用されるリソースに設定されるパラメータセットを適切に認識し、自身への信号を受信することが可能となる。
【０３４１】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０３４２】
例えば、上記実施形態では、主にダウンリンク通信に関するパラメータセットの切り替えについて説明したが、本技術はかかる例に限定されない。例えば、アップリンク通信又はサイドリンク通信に関するパラメータセットの切り替えも、同様にして行われ得る。
【０３４３】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０３４４】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０３４５】
なお、以下のような構成も本開示の技術的範囲に属する。
（１）
通信に利用されるサブキャリア間隔及びシンボル長を可変に設定し、サブキャリア間隔及びシンボル長を示すパラメータセットを設定内容に応じて切り替えるための情報を通知する制御部、
を備える基地局装置。
（２）
前記切り替えるための情報は、前記パラメータセットと前記パラメータセットが設定されるリソースとを対応付ける情報を含む、前記（１）に記載の基地局装置。
（３）
前記切り替えるための情報は、前記パラメータセットと前記パラメータセットが設定されるリソースとの対応付けの切り替えを示す情報を含む、前記（２）に記載の基地局装置。
（４）
前記切り替えるための情報は、通信相手の端末装置との通信に利用されるリソースを示す情報を含む、前記（２）又は（３）に記載の基地局装置。
（５）
前記切り替えるための情報は、切り替え先の前記パラメータセットを示す情報を含む、前記（１）に記載の基地局装置。
（６）
前記切り替えるための情報は、切り替え候補の複数の前記パラメータセットを示す情報を含む、前記（５）に記載の基地局装置。
（７）
前記切り替えるための情報は、切り替え実施有無を示す情報を含む、前記（１）〜（６）のいずれか一項に記載の基地局装置。
（８）
前記切り替えるための情報は、切り替えのタイミングを示す情報を含む、前記（１）〜（７）のいずれか一項に記載の基地局装置。
（９）
前記制御部は、前記切り替えるための情報を明示的に送信する、前記（１）〜（８）のいずれか一項に記載の基地局装置。
（１０）
前記制御部は、前記切り替えるための情報を暗示的に送信する、前記（１）〜（８）のいずれか一項に記載の基地局装置。
（１１）
前記制御部は、通信相手の端末装置の固有の識別情報に対応する複数の識別情報のうち、前記切り替えるための情報に応じた識別情報を用いた符号化を行う、前記（１０）に記載の基地局装置。
（１２）
前記制御部は、通信相手の端末装置のケイパビリティに応じて、前記パラメータセットごとの切り替え可否を制限する、前記（１）〜（１１）のいずれか一項に記載の基地局装置。
（１３）
前記切り替えるための情報は、ＤＣＩに含まれて送信される、前記（１）〜（１２）のいずれか一項に記載の基地局装置。
（１４）
前記切り替えるための情報は、ＲＲＣシグナリングに含まれて送信される、前記（１）〜（１３）のいずれか一項に記載の基地局装置。
（１５）
前記切り替えるための情報は、システム情報に含まれて送信される、前記（１）〜（１４）のいずれか一項に記載の基地局装置。
（１６）
サブキャリア間隔及びシンボル長が可変に設定されたリソースを、サブキャリア間隔及びシンボル長を示すパラメータセットを設定内容に応じて切り替えるために通知された情報に基づいて受信する制御部、
を備える端末装置。
（１７）
通信に利用されるサブキャリア間隔及びシンボル長を可変に設定し、サブキャリア間隔及びシンボル長を示すパラメータセットを設定内容に応じて切り替えるための情報をプロセッサにより通知すること、
を含む方法。
（１８）
サブキャリア間隔及びシンボル長が可変に設定されたリソースを、サブキャリア間隔及びシンボル長を示すパラメータセットを設定内容に応じて切り替えるために通知された情報に基づいてプロセッサにより受信すること、
を含む方法。
（１９）
コンピュータを、
通信に利用されるサブキャリア間隔及びシンボル長を可変に設定し、サブキャリア間隔及びシンボル長を示すパラメータセットを設定内容に応じて切り替えるための情報を通知する制御部、
として機能させるためのプログラムが記憶された記憶媒体。
（２０）
コンピュータを、
サブキャリア間隔及びシンボル長が可変に設定されたリソースを、サブキャリア間隔及びシンボル長を示すパラメータセットを設定内容に応じて切り替えるために通知された情報に基づいて受信する制御部、
として機能させるためのプログラムが記憶された記憶媒体。
【符号の説明】
【０３４６】
１    基地局装置
１０１    上位層処理部
１０３    制御部
１０５    受信部
１０５１    復号化部
１０５３    復調部
１０５５    多重分離部
１０５７    無線受信部
１０５９    チャネル測定部
１０７    送信部
１０７１    符号化部
１０７３    変調部
１０７５    多重部
１０７７    無線送信部
１０７９    下りリンク参照信号生成部
１０９    送受信アンテナ
２    端末装置
２０１    上位層処理部
２０３    制御部
２０５    受信部
２０５１    復号化部
２０５３    復調部
２０５５    多重分離部
２０５７    無線受信部
２０５９    チャネル測定部
２０７    送信部
２０７１    符号化部
２０７３    変調部
２０７５    多重部
２０７７    無線送信部
２０７９    上りリンク参照信号生成部
２０９    送受信アンテナ
【図１】
2017195483.tif 000009
【図２】
2017195483.tif 000010
【図３】
2017195483.tif 000011
【図４】
2017195483.tif 000012
【図５】
2017195483.tif 000013
【図６】
2017195483.tif 000014
【図７】
2017195483.tif 000015
【図８】
2017195483.tif 000016
【図９】
2017195483.tif 000017
【図１０】
2017195483.tif 000018
【図１１】
2017195483.tif 000019
【図１２】
2017195483.tif 000020
【図１３】
2017195483.tif 000021
【図１４】
2017195483.tif 000022
【図１５】
2017195483.tif 000023
【図１６】
2017195483.tif 000024
【図１７】
2017195483.tif 000025
【図１８】
2017195483.tif 000026
【図１９】
2017195483.tif 000027
【図２０】
2017195483.tif 000028
【図２１】
2017195483.tif 000029
【図２２】
2017195483.tif 000030
【図２３】
2017195483.tif 000031
【図２４】
2017195483.tif 000032
【図２５】
2017195483.tif 000033
【図２６】
2017195483.tif 000034
【図２７】
2017195483.tif 000035
【図２８】
2017195483.tif 000036
【国際調査報告】
2017195483.tif 000037
2017195483.tif 000038
2017195483.tif 000039
2017195483.tif 000040